(57)【要約】本発明は、ダウンリンク制御情報の送信方法、受信方法、装置及び通信システムを提供する。該ダウンリンク制御情報（ＤＣＩ）の送信装置は、端末装置に、アップリンクデータを送信するための割り込まれた第１の時間周波数リソースを指示するための第１のＤＣＩを送信する第１の送信部、を含み、該第１のＤＣＩは、少なくとも該第１の時間周波数リソースの位置を指示する第１のフィールドを含む。本発明によれば、端末装置のアップリンクデータの伝送が割り込まれている場合、端末装置に効果的に指示することができる。【選択図】図４
2021532634.tif 000002
【特許請求の範囲】
【請求項１】
ネットワーク装置に設けられているダウンリンク制御情報（ＤＣＩ）の送信装置であって、
端末装置に、アップリンクデータを送信するための割り込まれた第１の時間周波数リソースを指示するための第１のＤＣＩを送信する第１の送信部、を含み、
前記第１のＤＣＩは、少なくとも前記第１の時間周波数リソースの位置を指示する第１のフィールドを含む、装置。
【請求項２】
前記第１のＤＣＩは、前記第１の時間周波数リソースで搬送されているアップリンクデータを、前記第１の時間周波数リソースで送信せず、或いは低電力で送信し、或いは非直交多元接続方式で送信するように、前記端末装置に指示するために用いられる、請求項１に記載の装置。
【請求項３】
前記装置により前記端末装置のために構成された前記第１のＤＣＩを監視（ｍｏｎｉｔｏｒ）するための周期は、前記装置により前記端末装置のために構成された第２のＤＣＩを監視（ｍｏｎｉｔｏｒ）するための周期以下であり、
前記第２のＤＣＩは、第２の時間周波数リソースでアップリンクデータを送信するように前記端末装置に指示するために用いられる、請求項１に記載の装置。
【請求項４】
前記第１のＤＣＩのＤＣＩフォーマットは、第３のＤＣＩのＤＣＩフォーマットと同一であり、或いは異なり、
前記第３のＤＣＩは、ダウンリンクデータを伝送するための割り込まれた第３の時間周波数リソースを、前記端末装置に指示するために用いられる、請求項１に記載の装置。
【請求項５】
前記第１のＤＣＩのＤＣＩフォーマットが前記第３のＤＣＩのＤＣＩフォーマットと同一である場合、前記第１のＤＣＩは、前記第３のＤＣＩよりも１つ多い情報フィールド（ｉｎｆｏｒｍａｔｉｏｎ  ｆｉｅｌｄ）を有し、前記情報フィールドにおける情報ビットは、現在送信されているＤＣＩが前記第１のＤＣＩであるか、それとも前記第３のＤＣＩであるかを指示するために用いられる、請求項４に記載の装置。
【請求項６】
前記第１のＤＣＩのＤＣＩフォーマットが前記第３のＤＣＩのＤＣＩフォーマットと異なる場合、前記第１のＤＣＩは、前記端末装置の専用（ＵＥ−ｓｐｅｃｉｆｉｃ）ＤＣＩであり、或いは、前記第１のＤＣＩは、グループ共通（ＵＥ−ｇｒｏｕｐ  ｃｏｍｍｏｎ）ＤＣＩである、請求項４に記載の装置。
【請求項７】
前記第１のフィールドは、少なくとも１つの第１のサブフィールドを有し、
前記第１のサブフィールドは、前記端末装置の１つのサービングセルに対応する、請求項１に記載の装置。
【請求項８】
割り込まれた第１の時間周波数リソースの周波数領域分割方式が、周波数帯域全体を分割単位とするものである場合、前記第１のサブフィールドの１つ以上のデータビットは、前記周波数帯域における１つの時間単位が割り込まれているか否かを指示し、或いは、前記第１のサブフィールドの１つのデータビットは、前記周波数帯域における１つ以上の時間単位が割り込まれているか否かを指示する、請求項７に記載の装置。
【請求項９】
前記端末装置に、少なくとも前記第１のＤＣＩを構成するための構成情報を送信する第２の送信部、をさらに含む、請求項１に記載の装置。
【請求項１０】
前記構成情報は、以下の少なくとも１つの構成を行うために用いられ、
前記構成情報は、前記第１の時間周波数リソースで搬送されているアップリンクデータを、送信せず、或いは低電力で送信し、或いは非直交多元接続方式で送信するように、前記端末装置を構成するために用いられ、
前記構成情報は、非直交多元接続方式がスパース符号多元接続（ＳＣＭＡ：Ｓｐａｒｓｅ  Ｃｏｄｅ  Ｍｕｌｔｉｐｌｅ  Ａｃｃｅｓｓ）、マルチユーザ共有接続（ＭＵＳＡ：Ｍｕｌｔｉ  Ｕｓｅｒ  Ｓｈａｒｅｄ  Ａｃｃｅｓｓ）、インターリーブ分割多元接続（ＩＤＭＡ：Ｉｎｔｅｒｗｅａｖｅｒ  Ｄｉｖｉｓｉｏｎ  Ｍｕｌｔｉｐｌｅ  Ａｃｃｅｓｓ）、又は他の非直交多元接続方式であるように構成するために用いられ、
前記構成情報は、非直交多元接続におけるユーザを区別するための署名（ｓｉｇｎａｔｕｒｅ）がスパースコードワード、非直交コードワード、インターリーバ、又はユーザを区別するための他の署名であるように構成するために用いられ、
前記構成情報は、前記第１のサブフィールドの長さ及び／又は第１のフィールドの長さを構成するために用いられ、
前記構成情報は、前記第１のサブフィールドにより指示される第１の時間周波数リソースの周波数領域での分割方式が、周波数帯域全体を分割単位とするものであり、或いは一部の周波数帯域を分割単位とするものであるように構成するために用いられ、
前記構成情報は、前記第１のサブフィールドにより指示される第１の時間周波数リソースの時間領域での時間単位が１つ又は２つ以上のスロット（ｓｌｏｔ）、１つ又は２つ以上の非スロット（ｎｏｎ−ｓｌｏｔ）、１つ又は２つ以上のミニスロット（ｍｉｎｉ−ｓｌｏｔ）、又は１つ又は２つ以上のシンボル（ｓｙｍｂｏｌ）であるように構成するために用いられ、
前記構成情報は、前記端末装置のために、第１のＤＣＩを監視（ｍｏｎｉｔｏｒ）する周期を構成するために用いられ、
前記構成情報は、前記端末装置のサービングセルのインデックス（ｉｎｄｅｘ）の集合を構成するために用いられ、
前記構成情報は、前記端末装置の各サービングセルに対応する第１のサブフィールドの第１のフィールドにおける位置を構成するために用いられ、
前記構成情報は、第１のＤＣＩをスクランブルする無線ネットワーク一時識別子（ＲＮＴＩ）を構成するために用いられる、請求項９に記載の装置。
【請求項１１】
端末装置に設けられているダウンリンク制御情報（ＤＣＩ）の受信装置であって、
ネットワーク装置により送信された、アップリンクデータを送信するための割り込まれた第１の時間周波数リソースを指示するための第１のＤＣＩを受信する第１の受信部、を含み、
前記第１のＤＣＩは、少なくとも前記第１の時間周波数リソースの位置を指示する第１のフィールドを含む、装置。
【請求項１２】
前記第１のＤＣＩは、前記第１の時間周波数リソースで搬送されているアップリンクデータを、前記第１の時間周波数リソースで送信せず、或いは低電力で送信し、或いは非直交多元接続方式で送信するように、前記端末装置に指示するために用いられる、請求項１１に記載の装置。
【請求項１３】
前記第１のＤＣＩのＤＣＩフォーマットは、第３のＤＣＩのＤＣＩフォーマットと同一であり、或いは異なり、
前記第３のＤＣＩは、ダウンリンクデータを伝送するための割り込まれた第３の時間周波数リソースを、前記端末装置に指示するために用いられる、請求項１１に記載の装置。
【請求項１４】
前記第１のＤＣＩのＤＣＩフォーマットが前記第３のＤＣＩのＤＣＩフォーマットと異なる場合、前記第１のＤＣＩは、前記端末装置の専用（ＵＥ−ｓｐｅｃｉｆｉｃ）ＤＣＩであり、或いは、前記第１のＤＣＩは、グループ共通（ＵＥ−ｇｒｏｕｐ  ｃｏｍｍｏｎ）ＤＣＩである、請求項１３に記載の装置。
【請求項１５】
前記第１のフィールドは、少なくとも１つの第１のサブフィールドを有し、
前記第１のサブフィールドは、前記端末装置の１つのサービングセルに対応する、請求項１１に記載の装置。
【請求項１６】
割り込まれた第１の時間周波数リソースの周波数領域分割方式が、周波数帯域全体を分割単位とするものである場合、前記第１のサブフィールドの１つ以上のデータビットは、前記周波数帯域における１つの時間単位が割り込まれているか否かを指示し、或いは、前記第１のサブフィールドの１つのデータビットは、前記周波数帯域における１つ以上の時間単位が割り込まれているか否かを指示する、請求項１５に記載の装置。
【請求項１７】
前記ネットワーク装置により送信された、少なくとも前記第１のＤＣＩを構成するための構成情報を受信する第２の受信部、をさらに含む、請求項１１に記載の装置。
【請求項１８】
前記構成情報は、以下の少なくとも１つの構成を行うために用いられ、
前記構成情報は、前記第１の時間周波数リソースで搬送されているアップリンクデータを、送信せず、或いは低電力で送信し、或いは非直交多元接続方式で送信するように、前記端末装置を構成するために用いられ、
前記構成情報は、非直交多元接続方式がスパース符号多元接続（ＳＣＭＡ：Ｓｐａｒｓｅ  Ｃｏｄｅ  Ｍｕｌｔｉｐｌｅ  Ａｃｃｅｓｓ）、マルチユーザ共有接続（ＭＵＳＡ：Ｍｕｌｔｉ  Ｕｓｅｒ  Ｓｈａｒｅｄ  Ａｃｃｅｓｓ）、又はインターリーブ分割多元接続（ＩＤＭＡ：Ｉｎｔｅｒｗｅａｖｅｒ  Ｄｉｖｉｓｉｏｎ  Ｍｕｌｔｉｐｌｅ  Ａｃｃｅｓｓ）であるように構成するために用いられ、
前記構成情報は、非直交多元接続におけるユーザを区別するための署名がスパースコードワード、非直交コードワード、又はインターリーバであるように構成するために用いられ、
前記構成情報は、前記第１のサブフィールドの長さ及び／又は第１のフィールドの長さを構成するために用いられ、
前記構成情報は、前記第１のサブフィールドにより指示される第１の時間周波数リソースの周波数領域での分割方式が、周波数帯域全体を分割単位とするものであり、或いは一部の周波数帯域を分割単位とするものであるように構成するために用いられ、
前記構成情報は、前記第１のサブフィールドにより指示される第１の時間周波数リソースの時間領域での時間単位が１つ又は２つ以上のスロット（ｓｌｏｔ）、１つ又は２つ以上の非スロット（ｎｏｎ−ｓｌｏｔ）、１つ又は２つ以上のミニスロット（ｍｉｎｉ−ｓｌｏｔ）、又は１つ又は２つ以上のシンボル（ｓｙｍｂｏｌ）であるように構成するために用いられ、
前記構成情報は、前記端末装置のために、第１のＤＣＩを監視（ｍｏｎｉｔｏｒ）する周期を構成するために用いられ、
前記構成情報は、前記端末装置のサービングセルのインデックス（ｉｎｄｅｘ）の集合を構成するために用いられ、
前記構成情報は、前記端末装置の各サービングセルに対応する第１のサブフィールドの第１のフィールドにおける位置を構成するために用いられ、
前記構成情報は、第１のＤＣＩをスクランブルする無線ネットワーク一時識別子（ＲＮＴＩ）を構成するために用いられる、請求項１７に記載の装置。
【請求項１９】
前記第１の時間周波数リソースと前記端末装置のアップリンクデータを送信するための第２の時間周波数リソースとは、少なくとも部分的に重複し、
前記装置は、
アップリンクデータを、少なくとも重複する時間周波数リソースで送信せず、或いは低電力で送信し、或いは非直交多元接続方式で送信するように、前記装置を制御する第１の送信制御部、をさらに含む、請求項１１に記載の装置。
【請求項２０】
ネットワーク装置と、端末装置と、を含む通信システムであって、
前記ネットワーク装置は、請求項１乃至１０の何れかに記載のダウンリンク制御情報（ＤＣＩ）の送信装置を含み、
前記端末装置は、請求項１１乃至１９の何れかに記載のダウンリンク制御情報（ＤＣＩ）の受信装置を含む、通信システム。
【発明の詳細な説明】
【技術分野】
【０００１】
本発明は、通信分野に関し、特にダウンリンク制御情報の送信方法、受信方法、装置及び通信システムに関する。
【背景技術】
【０００２】
従来の無線通信システムでは、ネットワーク装置から端末装置へのダウンリンクのデータ伝送は、優先度の高い端末装置により割り込まれる可能性がある。
【０００３】
従来の無線通信システムは、優先度の低い端末装置のダウンリンクデータを搬送するための時間周波数リソースのうちのどの時間周波数リソースが優先度の高い端末装置により割り込まれているかを指示するために、特定のダウンリンク制御情報フォーマットを定義する。この特定のダウンリンク制御情報フォーマットの指示により、優先度の低い端末装置は、対応する伝送データブロックをより適切に復調できる。
【０００４】
なお、背景技術に関する上記の説明は、単なる本発明の構成をより明確、完全に説明するためのものであり、当業者を理解させるために説明するものである。これらの構成が本発明の背景技術の部分に説明されているから当業者にとって周知の技術であると解釈してはならない。
【発明の概要】
【発明が解決しようとする課題】
【０００５】
通信技術の発展に伴い、端末装置のアップリンクデータ伝送は優先度の高い端末装置により割り込まれる可能性がある。本発明の発明者の発見により、従来の通信技術では、アップリンクデータを搬送するための時間周波数リソースのうちのどの時間周波数リソースが優先度の高い端末装置により割り込まれているかを、優先度の低い端末装置に指示するダウンリンク制御情報がない。
【０００６】
本発明の実施例は、アップリンクデータを搬送するための時間周波数リソースのうちのどの時間周波数リソースが優先度の高い端末装置により割り込まれているかを、ダウンリンク制御情報により優先度の低い端末装置に指示することで、端末装置のアップリンクデータ伝送が割り込まれている場合、端末装置に効果的に指示することができる、ダウンリンク制御情報の送信方法、受信方法、装置及び通信システムを提供する。
【課題を解決するための手段】
【０００７】
本発明の実施例の第１の態様では、ネットワーク装置に設けられているダウンリンク制御情報（ＤＣＩ）の送信装置であって、端末装置に、アップリンクデータを送信するための割り込まれた第１の時間周波数リソースを指示するための第１のＤＣＩを送信する第１の送信部、を含み、前記第１のＤＣＩは、少なくとも前記第１の時間周波数リソースの位置を指示する第１のフィールドを含む、装置を提供する。
【０００８】
本発明の実施例の第２の態様では、端末装置に設けられているダウンリンク制御情報（ＤＣＩ）の受信装置であって、ネットワーク装置により送信された、アップリンクデータを送信するための割り込まれた第１の時間周波数リソースを指示するための第１のＤＣＩを受信する第１の受信部、を含み、前記第１のＤＣＩは、少なくとも前記第１の時間周波数リソースの位置を指示する第１のフィールドを含む、装置を提供する。
【０００９】
本発明の実施例の第３の態様では、端末装置と、ネットワーク装置と、を含む通信システムであって、前記端末装置は、上記の実施例の第２の態様に記載のダウンリンク制御情報（ＤＣＩ）の受信装置を含み、前記ネットワーク装置は、上記の実施例の第１の態様に記載のダウンリンク制御情報（ＤＣＩ）の送信装置を含む、通信システムを提供する。
【００１０】
本発明の実施例の有利な効果としては、端末装置のアップリンクデータ伝送が割り込まれている場合、端末装置に効果的に指示することができる。
【００１１】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００１２】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００１３】
なお、本文では、用語「含む／有する」は、特徴、部材、ステップ又は構成要件が存在することを意味し、一つ又は複数の他の特徴、部材、ステップ又は構成要件の存在又は付加を排除しない。
【図面の簡単な説明】
【００１４】
本発明の実施例の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【００１５】
含まれる図面は、本発明の実施例をさらに理解するために用いられ、明細書の一部を構成し、本発明の実施形態を例示するために用いられ、文言の記載と共に本発明の原理を説明する。なお、以下に説明される図面は、単なる本発明の一部の実施例であり、当業者にとっては、これらの図面に基づいて他の図面を容易に想到できる。
【図１】本発明の通信システムの１つの概略図である。
【図２】本発明の実施例１のダウンリンク制御情報の送信方法の１つの概略図である。
【図３】本発明の実施例２のダウンリンク制御情報の受信方法の１つの概略図である。
【図４】本発明の実施例３のダウンリンク制御情報の送信装置の１つの概略図である。
【図５】本発明の実施例４のダウンリンク制御情報の受信装置の１つの概略図である。
【図６】本発明の実施例５のネットワーク装置の構成の概略図である。
【図７】本発明の実施例６の端末装置の構成の概略図である。
【図８】本発明の実施例７の通信システムの動作のフローチャートである。
【図９】本発明の実施例８のダウンリンク制御情報の送信方法の１つの概略図である。
【図１０】本発明の実施例９のダウンリンク制御情報の受信方法の１つの概略図である。
【図１１】本発明の実施例１０のダウンリンク制御情報の送信装置の１つの概略図である。
【図１２】本発明の実施例１１のダウンリンク制御情報の受信装置の１つの概略図である。
【図１３】本発明の実施例１２のネットワーク装置の構成の概略図である。
【図１４】本発明の実施例１３の端末装置の構成の概略図である。
【図１５】本発明の実施例１４の通信システムの動作のフローチャートである。
【発明を実施するための形態】
【００１６】
本発明の上記及び他の特徴は以下の説明により明らかになる。明細書及び図面において、本発明の特定の実施形態が詳細に開示され、本発明の原理を採用できる実施形態の一部が示される。なお、本発明は説明される実施形態に限定されない。本発明は、添付される特許請求の範囲内の全ての変更されたもの、変形されたもの及び均等的なものを含む。以下は、図面を参照しながら本発明の各実施形態を説明する。これらの実施形態は単なる例示的なものであり、本発明を制限するものではない。
【００１７】
本発明の実施例では、用語「第１」、「第２」などは、タイトルで異なる要素を区別するために用いられるが、これらの要素の空間的配列又は時間的順序などを表すものではなく、これらの要素はこれらの用語に制限されない。用語「及び／又は」は、関連するリストに列挙された用語の１つ又は複数のうち何れか１つ及び全ての組み合わせを含む。用語「含む」、「包括する」、「有する」などは、列挙された特徴、要素、素子又は構成部材の存在を意味するが、１つ又は複数の他の特徴、要素、素子又は構成部材の存在又は追加を排除するものではない。
【００１８】
本発明の実施例では、単数形の「１つ」、「該」などは複数形を含み、「１種類」又は「１類」と広義的に理解されるべきであり、「１個」に限定されない。また、用語「前記」は、文脈がそうでないことを明確に示さない限り、単数形及び複数形両方を含むと理解されるべきである。また、文脈がそうでないことを明確に示さない限り、用語「に記載の」は「少なくとも一部に記載の」と理解されるべきであり、用語「に基づいて」は「少なくとも一部に基づいて」と理解されるべきである。
【００１９】
本発明の実施例では、用語「通信ネットワーク」又は「無線通信ネットワーク」は、例えばロングタームエボリューション（ＬＴＥ：Ｌｏｎｇ  Ｔｅｒｍ  Ｅｖｏｌｕｔｉｏｎ）、進化したロングタームエボリューション（ＬＴＥ−Ａ、ＬＴＥ−Ａｄｖａｎｃｅｄ）、広帯域符号分割多元接続（ＷＣＤＭＡ(登録商標)：Ｗｉｄｅｂａｎｄ  Ｃｏｄｅ  Ｄｉｖｉｓｉｏｎ  Ｍｕｌｔｉｐｌｅ  Ａｃｃｅｓｓ）、高速パケットアクセス（ＨＳＰＡ：Ｈｉｇｈ−Ｓｐｅｅｄ  Ｐａｃｋｅｔ  Ａｃｃｅｓｓ）などの任意の通信規格に適合するネットワークを意味してもよい。
【００２０】
また、通信システムにおける装置間の通信は、任意の段階の通信プロトコルに従って行われてもよく、該通信プロトコルは、例えば１Ｇ（ｇｅｎｅｒａｔｉｏｎ）、２Ｇ、２．５Ｇ、２．７５Ｇ、３Ｇ、４Ｇ、４．５Ｇ、及び将来の５Ｇ、新しい無線（ＮＲ：Ｎｅｗ  Ｒａｄｉｏ）等、及び／又は現在の既知の他の通信プロトコル若しくは将来開発される他の通信プロトコルを含んでもよいが、これらに限定されない。
【００２１】
本発明の実施例では、用語「ネットワーク装置」は、例えば通信システムに端末装置をアクセスさせて該端末装置にサービスを提供する通信システム内の装置を意味する。ネットワーク装置は、基地局（ＢＳ：Ｂａｓｅ  Ｓｔａｔｉｏｎ）、アクセスポイント（ＡＰ：Ａｃｃｅｓｓ  Ｐｏｉｎｔ）、送受信ポイント（ＴＲＰ：Ｔｒａｎｓｍｉｓｓｉｏｎ  Ｒｅｃｅｐｔｉｏｎ  Ｐｏｉｎｔ）、ブロードキャスト送信機、モビリティ管理エンティティ（ＭＭＥ：Ｍｏｂｉｌｅ  Ｍａｎａｇｅｍｅｎｔ  Ｅｎｔｉｔｙ）、ゲートウェイ、サーバ、無線ネットワークコントローラ（ＲＮＣ：Ｒａｄｉｏ  Ｎｅｔｗｏｒｋ  Ｃｏｎｔｒｏｌｌｅｒ）、基地局コントローラ（ＢＳＣ：Ｂａｓｅ  Ｓｔａｔｉｏｎ  Ｃｏｎｔｒｏｌｌｅｒ）などを含んでもよいが、これらに限定されない。
【００２２】
そのうち、基地局は、ノードＢ（ＮｏｄｅＢ又はＮＢ）、進化ノードＢ（ｅＮｏｄｅＢ又はｅＮＢ）、及び５Ｇ基地局（ｇＮＢ）など、並びにリモート無線ヘッド（ＲＲＨ：Ｒｅｍｏｔｅ  Ｒａｄｉｏ  Ｈｅａｄ）、リモート無線ユニット（ＲＲＵ：Ｒｅｍｏｔｅ  Ｒａｄｉｏ  Ｕｎｉｔ）、中継装置（ｒｅｌａｙ）又は低電力ノード（例えばｆｅｍｔｏ、ｐｉｃｏなど）を含んでもよいが、これらに限定されない。また、用語「基地局」はそれらの機能の一部又は全てを含んでもよく、各基地局は特定の地理的エリアに対して通信カバレッジを提供してもよい。用語「セル」は、該用語が使用されるコンテキストに応じて、基地局及び／又はそのカバレッジエリアを意味してもよい。
【００２３】
本発明の実施例では、用語「ユーザ装置」（ＵＥ：Ｕｓｅｒ  Ｅｑｕｉｐｍｅｎｔ）又は用語「端末装置」（ＴＥ：Ｔｅｒｍｉｎａｌ  Ｅｑｕｉｐｍｅｎｔ）は、例えばネットワーク装置を介して通信ネットワークにアクセスし、ネットワークサービスを受ける装置を意味する。端末装置は、固定的なもの又は移動的なものであってもよく、移動局（ＭＳ：Ｍｏｂｉｌｅ  Ｓｔａｔｉｏｎ）、端末、加入者ステーション（ＳＳ：Ｓｕｂｓｃｒｉｂｅｒ  Ｓｔａｔｉｏｎ）、アクセス端末（ＡＴ：Ａｃｃｅｓｓ  Ｔｅｒｍｉｎａｌ）、ステーションなどと称されてもよい。
【００２４】
そのうち、端末装置は、携帯電話（Ｃｅｌｌｕｌａｒ  Ｐｈｏｎｅ）、パーソナルデジタルアシスタント（ＰＤＡ：Ｐｅｒｓｏｎａｌ  Ｄｉｇｉｔａｌ  Ａｓｓｉｓｔａｎｔ）、無線変復調装置、無線通信装置、ハンドヘルドデバイス、マシンタイプ通信装置、ラップトップコンピュータ、コードレス電話、スマートフォン、スマートウォッチ、デジタルカメラなどを含んでもよいが、これらに限定されない。
【００２５】
例えば、モノのインターネット（ＩｏＴ：Ｉｎｔｅｒｎｅｔ  ｏｆ  Ｔｈｉｎｇｓ）などのシナリオでは、ユーザ装置は、監視又は測定を行う機器又は装置であってもよく、例えばマシンタイプ通信（ＭＴＣ：Ｍａｃｈｉｎｅ  Ｔｙｐｅ  Ｃｏｍｍｕｎｉｃａｔｉｏｎ）端末、車載通信端末、デバイスツーデバイス（Ｄ２Ｄ：Ｄｅｖｉｃｅ  ｔｏ  Ｄｅｖｉｃｅ）端末、マシンツーマシン（Ｍ２Ｍ：Ｍａｃｈｉｎｅ  ｔｏ  Ｍａｃｈｉｎｅ）端末などを含んでもよいが、これらに限定されない。
【００２６】
以下は、一例を参照しながら本発明の実施例のシナリオを説明するが、本発明はこれに限定されない。
【００２７】
図１は、本発明の通信システムの概略図であり、端末装置及びネットワーク装置の例を概略的に示している。図１に示すように、通信システム１００は、ネットワーク装置１０１及び端末装置１０２を含んでもよい（説明の便宜上、図１は、１つの端末装置のみを一例にして説明する）。
【００２８】
本発明の実施例では、ネットワーク装置１０１と端末装置１０２との間では、既存のサービス又は将来に実装可能なサービスを行うことができる。例えば、これらのサービスは、拡張モバイルブロードバンド（ｅＭＢＢ：ｅｎｈａｎｃｅｄ  Ｍｏｂｉｌｅ  Ｂｒｏａｄｂａｎｄ）、大規模マシンタイプ通信（ｍＭＴＣ：ｍａｓｓｉｖｅ  Ｍａｃｈｉｎｅ  Ｔｙｐｅ  Ｃｏｍｍｕｎｉｃａｔｉｏｎ）及び高信頼性低遅延通信（ＵＲＬＬＣ：Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ）などを含むが、これらに限定されない。
【００２９】
ここで、端末装置１０２は、例えばグラント済み（ｇｒａｎｔｅｄ）又はグラントフリー（ｇｒａｎｔ−ｆｒｅｅ）の伝送方式を用いてネットワーク装置１０１にデータを送信してもよい。ネットワーク装置１０１は、１つ又は複数の端末装置１０２により送信されたデータを受信し、端末装置１０２に情報、例えば肯定応答（ＡＣＫ）／非肯定応答（ＮＡＣＫ）などをフィードバックしてもよく、端末装置１０２は、フィードバック情報に基づいて伝送プロセスの終了を確認してもよいし、新しいデータ伝送又はデータ再送を行ってもよい。
【００３０】
また、端末装置１０２がネットワーク装置１０１にアクセスする前に、ネットワーク装置１０１は、端末装置１０２にシステム情報に関連する情報を送信してもよい。端末装置１０２は、ダウンリンク同期を実現し、ネットワーク装置１０１との接続を確立するように、受信された情報を検出してもよい。
【００３１】
以下は、通信システムにおけるネットワーク装置を送信側とし、端末装置を受信側とする例を説明するが、本発明はこれに限定されず、送信側及び／又は受信側は他の装置であってもよい。例えば、本発明は、ネットワーク装置と端末装置との間の信号伝送に適用されてもよいし、２つの端末装置間の信号伝送に適用されてもよい。
【００３２】
＜実施例１＞
本発明の実施例１はダウンリンク制御情報（ＤＣＩ）の送信方法を提供し、該方法はネットワーク装置により実行されてもよい。
【００３３】
図２は本発明の実施例のダウンリンク制御情報の送信方法の１つの概略図である。図２に示すように、該方法は以下のステップを含む。
【００３４】
ステップ２０１：ネットワーク装置は、端末装置に、アップリンクデータを送信するための割り込まれた第１の時間周波数リソースを指示するための第１のＤＣＩを送信する。該第１のＤＣＩは、少なくとも該第１の時間周波数リソースの位置を指示する第１のフィールドを含む。
【００３５】
本実施例によれば、アップリンクデータを搬送するための時間周波数リソースのうちのどの時間周波数リソースが優先度の高い端末装置により割り込まれているかを、ダウンリンク制御情報により優先度の低い端末装置に指示することで、端末装置のアップリンクデータ伝送が割り込まれている場合、端末装置に効果的に指示することができる。
【００３６】
本実施例では、第１の時間周波数リソースが割り込まれ（ｉｎｔｅｒｒｕｐｔｔｅｄ）、或いはプリエンプション（ｐｒｅ−ｅｍｐｔｉｏｎ）されることは、端末装置が該第１の時間周波数リソースを介してアップリンクデータを伝送する際に、優先度の高い端末装置により割り込まれることを意味する。
【００３７】
本実施例では、端末装置の第１の時間周波数リソースが割り込まれた場合、該端末装置は、第１の時間周波数リソースにおいて比較的に低い優先度を有する。ここで、該低い優先度の表現方式（即ち、アップリンクデータの伝送が割り込まれる方式）は、例えば、該端末装置が第１の時間周波数リソースで搬送されているアップリンクデータを該第１の時間周波数リソースで送信せず、或いは低電力で送信し、或いは非直交多元接続方式で送信することであってもよい。ここで、該アップリンクデータを低電力で送信することは、該端末装置が正常の送信電力よりも低い送信電力に低減することで、優先度の高い端末装置よりも低い電力でアップリンクデータを送信することを意味する。
【００３８】
本実施例では、該低い優先度の表現方式は、第１のＤＣＩにより該端末装置に指示されてもよいし、予め設定されてもよい。
【００３９】
本実施例では、端末装置は、特定の周期で該第１のＤＣＩを監視（ｍｏｎｉｔｏｒ）してもよく、該周期は、該端末装置の第２のＤＣＩを監視（ｍｏｎｉｔｏｒ）するための周期以下であってもよい。該第２のＤＣＩは、第２の時間周波数リソースでアップリンクデータを送信するように該端末装置に指示するために用いられる。
【００４０】
本実施例では、第１のＤＣＩのＤＣＩフォーマット（ＤＣＩ  ｆｏｒｍａｔ）は、第３のＤＣＩのＤＣＩフォーマット（ＤＣＩ  ｆｏｒｍａｔ）と同一であり、或いは異なる。ここで、該第３のＤＣＩは、ダウンリンクデータを伝送するための割り込まれた第３の時間周波数リソースを該端末装置に指示するために用いられてもよい。該第３のＤＣＩは、特定のフォーマットを有するＤＣＩを有してもよく、例えば、５Ｇの１番目のフェーズの標準Ｒｅｌ−１５で定義されているＤＣＩのフォーマット２＿１であってもよい。
【００４１】
本実施例では、第１のＤＣＩのＤＣＩフォーマット（ＤＣＩ  ｆｏｒｍａｔ）が第３のＤＣＩのＤＣＩフォーマット（ＤＣＩ  ｆｏｒｍａｔ）と同一であることは、第１のＤＣＩと第３のＤＣＩとが同一の用途を有し、即ちリソースが割り込まれ、或いはプリエンプションされることを指示するために用いられ、且つ第１のＤＣＩと第３のＤＣＩとが同一のフィールドを用いるが、値が異なることを意味する。第１のＤＣＩのＤＣＩフォーマット（ＤＣＩ  ｆｏｒｍａｔ）が第３のＤＣＩのＤＣＩフォーマット（ＤＣＩ  ｆｏｒｍａｔ）と同一である場合、第１のＤＣＩは、第３のＤＣＩよりも１つ多い情報フィールド（ｉｎｆｏｒｍａｔｉｏｎ  ｆｉｅｌｄ）を有し、該情報フィールドにおける情報ビットは、現在送信されているＤＣＩが該第１のＤＣＩであるか、それとも該第３のＤＣＩであるかを指示するために用いられる。例えば、該情報フィールドが０であるの場合、該ＤＣＩが第１のＤＣＩであることを意味し、該情報フィールドが１である場合、該ＤＣＩが第３のＤＣＩであることを意味する。
【００４２】
また、第１のＤＣＩのＤＣＩフォーマット（ＤＣＩ  ｆｏｒｍａｔ）が第３のＤＣＩのＤＣＩフォーマット（ＤＣＩ  ｆｏｒｍａｔ）と同一である場合、第３のＤＣＩはグループ共通（ＵＥ−ｇｒｏｕｐ  ｃｏｍｍｏｎ）ＤＣＩであるため、該第１のＤＣＩもグループ共通（ＵＥ−ｇｒｏｕｐ  ｃｏｍｍｏｎ）ＤＣＩである。
【００４３】
本実施例では、第１のＤＣＩのＤＣＩフォーマット（ＤＣＩ  ｆｏｒｍａｔ）と第３のＤＣＩのＤＣＩフォーマット（ＤＣＩ  ｆｏｒｍａｔ）とが異なることは、第１のＤＣＩと第３のＤＣＩとが異なる用途（ｕｓａｇｅ）を有し、即ち第１のＤＣＩがアップリンクリソースが割り込まれ、或いはプリエンプションされることを指示し、第３のＤＣＩがダウンリンクリソースが割り込まれ、或いはプリエンプションされることを指示し、且つ第１のＤＣＩと第３のＤＣＩとが異なるフィールドを有することを意味する。該第１のＤＣＩのＤＣＩフォーマットが該第３のＤＣＩのＤＣＩフォーマットと異なる場合、該第１のＤＣＩは、該端末装置の専用（ＵＥ−ｓｐｅｃｉｆｉｃ）ＤＣＩであり、或いは、該第１のＤＣＩは、グループ共通（ＵＥ−ｇｒｏｕｐ  ｃｏｍｍｏｎ）ＤＣＩである。ここで、専用（ＵＥ−ｓｐｅｃｉｆｉｃ）ＤＣＩは、該端末装置のみに指示するＤＣＩを意味し、グループ共通（ＵＥ−ｇｒｏｕｐ  ｃｏｍｍｏｎ）ＤＣＩは、該端末装置を含む端末装置グループにおける各端末装置に指示するＤＣＩを意味する。
【００４４】
本実施例では、第１のＤＣＩの該第１のフィールドは、少なくとも１つの第１のサブフィールドを有し、該第１のサブフィールドは、該端末装置の１つのサービングセルに対応する。これによって、各第１のサブフィールドは、該第１のサブフィールドに対応するサービングセルについて、該第１の時間周波数リソースの位置を指示することができる。
【００４５】
該第１のサブフィールドのデータビットの長さは、固定値であってもよいし、可変値であってもよい。ここで、該固定値は、例えば所定値であってもよく、該所定値は、例えば該ネットワーク装置の出荷時の所定値、又は端末装置の出荷時の所定値であってもよい。本実施例では、該第１のサブフィールドのデータビットの長さは、ネットワーク装置により端末装置に構成されてもよく、例えば、ネットワーク装置により上位層のシグナリングを介して端末装置に構成されてもよい。
【００４６】
本実施例では、第１の時間周波数リソースの周波数領域分割方式が、周波数帯域全体を分割単位とするものである場合、該第１のサブフィールドの１つ以上のデータビットは、該周波数帯域における１つの時間単位が割り込まれているか否かを指示してもよく、或いは、該第１のサブフィールドの１つのデータビットは、該周波数帯域における１つ以上の時間単位が割り込まれているか否かを指示してもよい。
【００４７】
例えば、時間領域では、第１のサブフィールドのデータビットの長さは、例えば１４ｂｉｔｓなどの固定値Ｌであり、該第１のサブフィールドは、第１の時間周波数リソースにおけるＮ個の時間単位のうちのどの時間単位が割り込まれているかを指示するために用いられる。ここで、Ｎ及びＬは何れも自然数である。本実施例では、該第１の時間周波数リソースは、時間領域においてｎ＋Ｎ３の後のＮ個の時間単位であってもよい。ここで、ｎは、端末装置が該第１のＤＣＩを検出した時の時間単位であり、Ｎ３は、端末装置が該第１のＤＣＩを復調し、且つ優先度の低いものにハンドオーバするためのプロセスに必要な時間単位である。
【００４８】
Ｎ≦Ｌの場合、
（外１）
2021532634.tif 000003
となるとき、
（外２）
2021532634.tif 000004
個の連続的なデータビット（ｂｉｔ）は、ｊ番目の時間単位が割り込まれているか否かを表す。
（外３）
2021532634.tif 000005
となるとき、
（外４）
2021532634.tif 000006
個の連続的なｂｉｔは、ｊ番目の時間単位が割り込まれているか否かを表す。或いは、Ｎ＞Ｌの場合、該Ｎ個の時間単位がＬ個のグループに分けられてもよく、該Ｌ個のグループはＬ個のビットに１対１で対応してもよい。例えば、前の
（外５）
2021532634.tif 000007
グループの時間単位では、各グループに
（外６）
2021532634.tif 000008
個の時間単位が含まれ、後の
（外７）
2021532634.tif 000009
グループの時間単位では、各グループに
（外８）
2021532634.tif 000010
個の時間単位が含まれる。
【００４９】
１つの態様では、該第１のサブフィールドのＬ個のデータビットのうち、データビット（１つのデータビットは１つ又は複数の時間単位に対応する場合）又は連続的なデータビットのセグメント（２つ以上のデータビットは１つの時間単位又は時間単位グループに対応する場合）の値が第１の値である場合、対応する時間単位が周波数範囲全体で割り込まれていることを表す。データビット（ｂｉｔ）又は連続的なデータビットのセグメントの値が第２の値である場合、対応する時間単位が周波数範囲全体で割り込まれていないことを表す。該第１の値と第２の値は、それぞれ０と１、又は連続的な０と連続的な１、又は１と０、又は連続的な１と連続的な０であってもよい。
【００５０】
また、例えば、時間領域では、第１のサブフィールドのデータビットの長さは可変値Ｌｖであり、該第１のサブフィールドは、第１の時間周波数リソースにおけるＮ個の時間単位のうちのどの時間単位が割り込まれているかを指示するために用いられ、ここで、Ｎ及びＬｖは何れも自然数である。
【００５１】
Ｌｖ＝Ｎの場合、該第１のサブフィールドのデータビットのうちの各ｂｉｔは１つの時間単位に対応する。或いは、
（外９）
2021532634.tif 000011
の場合、該第１のサブフィールドのデータビットのうちの各ｂｉｔは１組の時間単位に対応し、各組の時間単位にｑ個の時間単位が含まれ、ここで、ｑは２以上の自然数であってもよい。或いは、Ｌｖ＝ｍＮの場合、該第１のサブフィールドのデータビットのうちの各ｍ個の連続的なｂｉｔは１つの時間単位に対応する。或いは、
（外１０）
2021532634.tif 000012
の場合、該第１のサブフィールドのデータビットのうちの各ｍ個の連続的なｂｉｔは、１組の時間単位に対応し、各組の時間単位にｑ個の時間単位が含まれ、ここで、ｑは２以上の自然数であってもよい。
【００５２】
１つの態様では、該第１のサブフィールドのＬｖ個のデータビットのうち、データビット（ｂｉｔ）又は連続的なデータビットのセグメントの値が第１の値である場合、対応する時間単位が周波数範囲全体で割り込まれていることを表す。データビット（ｂｉｔ）又は連続的なデータビットのセグメントの値が第２の値である場合、対応する時間単位が周波数範囲全体で割り込まれていないことを表す。該第１の値と第２の値は、それぞれ０と１、又は連続的な０と連続的な１、又は１と０、又は連続的な１と連続的な０であってもよい。
【００５３】
本実施例では、第１の時間周波数リソースの周波数領域分割方式が、活性化された周波数帯域全体（該活性化された周波数帯域全体は例えば帯域幅単位（ＢＷＰ：ｂａｎｄｗｉｄｔｈ  ｐａｒｔ）である）のうちの一部の周波数帯域を分割単位とするものである場合、割り込まれたデータ伝送リソースの周波数領域は、２つ以上の部分周波数帯域に分割されてもよい。該第１のサブフィールドは少なくとも２組のデータビットを含み、各組のデータビットは各部分周波数帯域に対応し、各組のデータビットにおいて、１つ以上のデータビットは、該部分周波数帯域における１つの時間単位が割り込まれているか否かを指示し、或いは、１つのデータビットは、該部分周波数帯域における１つ以上の時間単位が割り込まれているか否かを指示してもよい。
【００５４】
本実施例の以下の説明では、第１の時間周波数リソースの周波数領域が２つの部分周波数帯域に分割されることを一例にして説明するが、該第１の時間周波数リソースの周波数領域が３つ以上の部分周波数帯域に分割される場合、以下の説明を参照してもよい。
【００５５】
例えば、第１の時間周波数リソースの周波数領域が２つの部分周波数帯域に分割され、第１のサブフィールドのデータビットの長さは例えば１４ｂｉｔの固定値Ｌであり、長さがＬの該第１のサブフィールドは２つのグループに分割されてもよく、第１のグループは
（外１１）
2021532634.tif 000013
個のビットを含み、第２のグループは
（外１２）
2021532634.tif 000014
個のビットを含む。第１のグループのデータビットは、周波数帯域全体の前半部分、即ち前の
（外１３）
2021532634.tif 000015
個の物理リソースブロック（ＰＲＢ：Ｐｈｙｓｉｃａｌ  Ｒｅｓｏｕｒｃｅ  Ｂｌｏｃｋ）を指示するために用いられてもよく、ここで、ＢＩＮＴは周波数帯域全体に含まれるＰＲＢの総数である。第２のグループのビットは、周波数帯域全体の後半部分、即ち後の
（外１４）
2021532634.tif 000016
個のＰＲＢを指示するために用いられてもよい。
【００５６】
時間領域では、第１のグループのデータビットは、Ｎ個の時間単位のうちのどの時間単位における前の
（外１５）
2021532634.tif 000017
個のＰＲＢが割り込まれているかを指示するために用いられ、第２のグループのデータビットは、Ｎ個の時間単位のうちのどの時間単位における後の
（外１６）
2021532634.tif 000018
個のＰＲＢが割り込まれているかを指示するために用いられてもよい。
【００５７】
以下は、上記の第１のグループのデータビットについて説明する。
【００５８】
（外１７）
2021532634.tif 000019
の場合、
（外１８）
2021532634.tif 000020
となるとき、
（外１９）
2021532634.tif 000021
個の連続的なｂｉｔは、ｊ番目の時間単位がプリエンプションされているか否かを表し、
（外２０）
2021532634.tif 000022
となるとき、
（外２１）
2021532634.tif 000023
個の連続的なｂｉｔは、ｊ番目の時間単位がプリエンプションされているか否かを表す。或いは、Ｎ＞
（外２２）
2021532634.tif 000024
の場合、Ｎ個の時間単位を
（外２３）
2021532634.tif 000025
グループに分割し、
（外２４）
2021532634.tif 000026
個のビットに１対１で対応し、具体的には、前の
（外２５）
2021532634.tif 000027
グループの時間単位の各グループは
（外２６）
2021532634.tif 000028
個の時間単位を含み、後の
（外２７）
2021532634.tif 000029
グループの時間単位の各グループは
（外２８）
2021532634.tif 000030
個の時間単位を含む。
【００５９】
以下は、上記の第２のグループのデータビットについて説明する。
【００６０】
（外２９）
2021532634.tif 000031
の場合、
（外３０）
2021532634.tif 000032
となるとき、
（外３１）
2021532634.tif 000033
個の連続的なｂｉｔは、ｊ番目の時間単位がプリエンプションされているか否かを表し、
（外３２）
2021532634.tif 000034
となるとき、
（外３３）
2021532634.tif 000035
個の連続的なｂｉｔは、ｊ番目の時間単位がプリエンプションされているか否かを表す。或いは、Ｎ＞
（外３４）
2021532634.tif 000036
の場合、Ｎ個の時間単位を
（外３５）
2021532634.tif 000037
グループに分割し、
（外３６）
2021532634.tif 000038
個のビットに１対１で対応し、具体的には、前の
（外３７）
2021532634.tif 000039
グループの時間単位の各グループは
（外３８）
2021532634.tif 000040
個の時間単位を含み、後の
（外３９）
2021532634.tif 000041
グループの時間単位の各グループは
（外４０）
2021532634.tif 000042
個の時間単位を含む。
【００６１】
１つの態様では、該第１のサブフィールドのＬ個のデータビットのうち、データビット（ｂｉｔ）又は連続的なデータビットのセグメントの値が第１の値である場合、対応する時間単位が対応する帯域幅部分内で割り込まれていることを表す。データビット（ｂｉｔ）又は連続的なデータビットのセグメントの値が第２の値である場合、対応する時間単位が対応する帯域幅部分内で割り込まれていないことを表す。該第１の値と第２の値は、それぞれ０と１、又は連続的な０と連続的な１、又は１と０、又は連続的な１と連続的な０であってもよい。
【００６２】
また、例えば、第１の時間周波数リソースの周波数領域が２つの部分周波数帯域に分割され、第１のサブフィールドのデータビットの長さは可変値Ｌｖであり、長さがＬの該第１のサブフィールドは２つのグループに分割されてもよく、第１のグループは
（外４１）
2021532634.tif 000043
個のビットを含み、第２のグループは
（外４２）
2021532634.tif 000044
個のビットを含む。第１のグループのデータビットは、周波数帯域全体の前半部分、即ち前の
（外４３）
2021532634.tif 000045
個の物理リソースブロック（ＰＲＢ：Ｐｈｙｓｉｃａｌ  Ｒｅｓｏｕｒｃｅ  Ｂｌｏｃｋ）を指示するために用いられてもよく、第２のグループのビットは、周波数帯域全体の後半部分、即ち後の
（外４４）
2021532634.tif 000046
個のＰＲＢを指示するために用いられてもよい。
【００６３】
時間領域では、第１のグループのデータビットは、Ｎ個の時間単位のうちのどの時間単位における前の
（外４５）
2021532634.tif 000047
個のＰＲＢが割り込まれているかを指示するために用いられ、第２のグループのデータビットは、Ｎ個の時間単位のうちのどの時間単位における後の
（外４６）
2021532634.tif 000048
個のＰＲＢが割り込まれているかを指示するために用いられてもよい。各グループのデータビット長をＬ’で表すと、第１のグループについて、
（外４７）
2021532634.tif 000049
とし、第２のグループについて、
（外４８）
2021532634.tif 000050
とし、以下は、上記の第１のグループのデータビット及び第２グループのデータビットのうちの何れかについて説明する。
【００６４】
Ｌ’＝Ｎの場合、該グループのデータビットのうちの各ｂｉｔは１つの時間単位に対応する。或いは、
（外４９）
2021532634.tif 000051
の場合、該グループのデータビットのうちの各ｂｉｔは１組の時間単位に対応し、各組の時間単位にｑ個の時間単位が含まれ、ここで、ｑは２以上の自然数であってもよい。或いは、Ｌ’＝ｍＮの場合、該グループのデータビットのうちの各ｍ個の連続的なｂｉｔは１つの時間単位に対応する。或いは、
（外５０）
2021532634.tif 000052
の場合、該グループのデータビットのうちの各ｍ個の連続的なｂｉｔは、１組の時間単位に対応し、各組の時間単位にｑ個の時間単位が含まれ、ここで、ｑは２以上の自然数であってもよい。
【００６５】
１つの態様では、該第１のサブフィールドのＬｖ個のデータビットのうち、データビット（ｂｉｔ）又は連続的なデータビットのセグメントの値が第１の値である場合、対応する時間単位が対応する帯域幅部分内で割り込まれていることを表す。データビット（ｂｉｔ）又は連続的なデータビットのセグメントの値が第２の値である場合、対応する時間単位が対応する帯域幅部分内で割り込まれていないことを表す。該第１の値と第２の値は、それぞれ０と１、又は連続的な０と連続的な１、又は１と０、又は連続的な１と連続的な０であってもよい。
【００６６】
本実施例では、上記の時間単位は、１つ又は２つ以上のスロット（ｓｌｏｔ）、１つ又は２つ以上の非スロット（ｎｏｎ−ｓｌｏｔ）、１つ又は２つ以上のミニスロット（ｍｉｎｉ−ｓｌｏｔ）、又は１つ又は２つ以上のシンボル（ｓｙｍｂｏｌ）などを含んでもよい。
【００６７】
本実施例では、図２に示すように、該方法は以下のステップをさらに含んでもよい。
【００６８】
ステップ２０２：該ネットワーク装置は端末装置に構成情報を送信する。
【００６９】
ステップ２０２において、ネットワーク装置は、上位層のシグナリングを介して端末装置に構成情報を送信してもよい。
【００７０】
本実施例では、該構成情報は、少なくとも第１の構成情報を含む。該第１の構成情報は、該第１のＤＣＩを構成するために用いられる。
【００７１】
本実施例では、該構成情報は、以下の少なくとも１つの構成情報をさらに含んでもよい。
【００７２】
第２の構成情報は、該第１の時間周波数リソースで搬送されているアップリンクデータを、送信せず、或いは低電力で送信し、或いは非直交多元接続方式で送信するように、該端末装置を構成するために用いられる。
【００７３】
第３の構成情報は、非直交多元接続方式がスパース符号多元接続（ＳＣＭＡ：Ｓｐａｒｓｅ  Ｃｏｄｅ  Ｍｕｌｔｉｐｌｅ  Ａｃｃｅｓｓ）、マルチユーザ共有接続（ＭＵＳＡ：Ｍｕｌｔｉ  Ｕｓｅｒ  Ｓｈａｒｅｄ  Ａｃｃｅｓｓ）、インターリーブ分割多元接続（ＩＤＭＡ：Ｉｎｔｅｒｗｅａｖｅｒ  Ｄｉｖｉｓｉｏｎ  Ｍｕｌｔｉｐｌｅ  Ａｃｃｅｓｓ）、又は他の非直交多元接続方式であるように構成するために用いられる。
【００７４】
第４の構成情報は、非直交多元接続におけるユーザを区別するための署名（ｓｉｇｎａｔｕｒｅ）がスパースコードワード、非直交コードワード、インターリーバ、又はユーザを区別するための他の署名であるように構成するために用いられる。
【００７５】
第５の構成情報は、該第１のサブフィールドの長さ及び／又は第１のフィールドの長さを構成するために用いられる。
【００７６】
第６の構成情報は、該第１のサブフィールドにより指示される第１の時間周波数リソースの周波数領域での分割方式が、周波数帯域全体を分割単位とするものであり、或いは一部の周波数帯域を分割単位とするものであるように構成するために用いられる。
【００７７】
第７の構成情報は、該第１のサブフィールドにより指示される第１の時間周波数リソースの時間領域での時間単位が１つ又は２つ以上のスロット（ｓｌｏｔ）、１つ又は２つ以上の非スロット（ｎｏｎ−ｓｌｏｔ）、１つ又は２つ以上のミニスロット（ｍｉｎｉ−ｓｌｏｔ）、又は１つ又は２つ以上のシンボル（ｓｙｍｂｏｌ）であるように構成するために用いられる。
【００７８】
第８の構成情報は、該端末装置のために、第１のＤＣＩを監視（ｍｏｎｉｔｏｒ）する周期を構成するために用いられる。
【００７９】
第９の構成情報は、該端末装置のサービングセルのインデックス（ｉｎｄｅｘ）の集合を構成するために用いられる。
【００８０】
第１０の構成情報は、該端末装置の各サービングセルに対応する第１のサブフィールドの第１のフィールドにおける位置を構成するために用いられる。
【００８１】
第１１の構成情報は、第１のＤＣＩをスクランブルする無線ネットワーク一時識別子（ＲＮＴＩ）を構成するために用いられる。
【００８２】
本実施例では、異なる構成情報は、異なる上位層のシグナリングを介して送信されてもよい。
【００８３】
また、他の態様では、上記の第２の構成情報〜第１１の構成情報の何れかにより構成された情報は、所定の情報であってもよい。これによって、構成情報を介して端末装置を構成する必要がない。
【００８４】
本実施例によれば、アップリンクデータを搬送するための時間周波数リソースのうちのどの時間周波数リソースが優先度の高い端末装置により割り込まれているかを、ダウンリンク制御情報により端末装置に指示することで、端末装置のアップリンクデータ伝送が割り込まれている場合、端末装置に効果的に指示することができる。
【００８５】
＜実施例２＞
本実施例２は、ダウンリンク制御情報の受信方法を提供し、該方法は受信側の端末装置により実行される。
【００８６】
図３は本発明の実施例２のダウンリンク制御情報の受信方法の１つの概略図である。図３に示すように、該方法は以下のステップを含む。
【００８７】
ステップ３０１：端末装置は、ネットワーク装置により送信された、アップリンクデータを送信するための割り込まれた第１の時間周波数リソースを指示するための第１のＤＣＩを受信する。該第１のＤＣＩは、少なくとも該第１の時間周波数リソースの位置を指示する第１のフィールドを含む。
【００８８】
本実施例によれば、アップリンクデータを搬送するための時間周波数リソースのうちのどの時間周波数リソースが優先度の高い端末装置により割り込まれているかを、ダウンリンク制御情報により優先度の低い端末装置に指示することで、端末装置のアップリンクデータ伝送が割り込まれている場合、端末装置に効果的に指示することができる。
【００８９】
本実施例では、該第１のＤＣＩは、該第１の時間周波数リソースで搬送されているアップリンクデータを、該第１の時間周波数リソースで送信せず、或いは低電力で送信し、或いは非直交多元接続方式で送信するように、該端末装置に指示するために用いられる。
【００９０】
本実施例では、該端末装置の該第１のＤＣＩを監視（ｍｏｎｉｔｏｒ）するための周期は、該端末装置の第２のＤＣＩを監視（ｍｏｎｉｔｏｒ）するための周期以下であり、ここで、該第２のＤＣＩは、第２の時間周波数リソースでアップリンクデータを送信するように該端末装置に指示するために用いられる。
【００９１】
本実施例では、第１のＤＣＩのＤＣＩフォーマットは、第３のＤＣＩのＤＣＩフォーマットと同一であり、或いは異なり、ここで、該第３のＤＣＩは、ダウンリンクデータを伝送するための割り込まれた第３の時間周波数リソースを、該端末装置に指示するために用いられる。
【００９２】
本実施例では、該第１のＤＣＩのＤＣＩフォーマットが該第３のＤＣＩのＤＣＩフォーマットと同一である場合、該第１のＤＣＩは、該第３のＤＣＩよりも１つ多い情報フィールド（ｉｎｆｏｒｍａｔｉｏｎ  ｆｉｅｌｄ）を有し、該情報フィールドにおける情報ビットは、現在送信されているＤＣＩが前記第１のＤＣＩであるか、それとも前記第３のＤＣＩであるかを指示するために用いられる。
【００９３】
本実施例では、該第１のＤＣＩのＤＣＩフォーマットが第３のＤＣＩのＤＣＩフォーマットと異なる場合、第１のＤＣＩは、該端末装置の専用（ＵＥ−ｓｐｅｃｉｆｉｃ）ＤＣＩであってもよいし、或いは、該第１のＤＣＩは、グループ共通（ＵＥ−ｇｒｏｕｐ  ｃｏｍｍｏｎ）ＤＣＩであってもよい。
【００９４】
本実施例では、該第１のＤＣＩの第１のフィールドは、少なくとも１つの第１のサブフィールドを有し、該第１のサブフィールドは、該端末装置の１つのサービングセルに対応する。
【００９５】
該第１のサブフィールドの長さは、所定の長さであってもよいし、ネットワーク装置により構成シグナリングを介して構成された長さであってもよい。
【００９６】
本実施例では、該第１のサブフィールドのデータビットと第１の時間周波数リソースにおける時間単位との対応関係は、本発明の実施例１における説明を参照してもよい。
【００９７】
例えば、割り込まれた第１の時間周波数リソースの周波数領域分割方式が、周波数帯域全体を分割単位とするものである場合、該第１のサブフィールドの１つ以上のデータビットは、該周波数帯域における１つの時間単位が割り込まれているか否かを指示し、或いは、該第１のサブフィールドの１つのデータビットは、該周波数帯域における１つ以上の時間単位が割り込まれているか否かを指示する。
【００９８】
また、例えば、割り込まれた第１の時間周波数リソースの周波数領域分割方式が、周波数帯域全体のうちの一部の周波数帯域を分割単位とするものである場合、該割り込まれたデータ伝送リソースの周波数領域は、２つ以上の部分周波数帯域に分割され、該第１のサブフィールドは少なくとも２組のデータビットを含み、各組のデータビットは各部分周波数帯域に対応し、各組のデータビットにおいて、１つ以上のデータビットは、該部分周波数帯域における１つの時間単位が割り込まれているか否かを指示し、或いは、１つのデータビットは、該部分周波数帯域における１つ以上の時間単位が割り込まれているか否かを指示する。
【００９９】
本実施例では、図３に示すように、該方法は、以下のステップをさらに含んでもよい。
【０１００】
ステップ３０２：端末装置は、ネットワーク装置により送信された、少なくとも該第１のＤＣＩを構成するための構成情報を受信する。
【０１０１】
本実施例では、端末装置は、上位層のシグナリングを介して、ネットワーク装置により送信された該構成情報を受信してもよい。
【０１０２】
本実施例では、該構成情報は、少なくとも第１の構成情報を含む。該第１の構成情報は、該第１のＤＣＩを構成するために用いられる。
【０１０３】
本実施例では、該構成情報は、以下の少なくとも１つの構成情報をさらに含んでもよい。
【０１０４】
第２の構成情報は、該第１の時間周波数リソースで搬送されているアップリンクデータを、送信せず、或いは低電力で送信し、或いは非直交多元接続方式で送信するように、該端末装置を構成するために用いられる。
【０１０５】
第３の構成情報は、非直交多元接続方式がスパース符号多元接続（ＳＣＭＡ：Ｓｐａｒｓｅ  Ｃｏｄｅ  Ｍｕｌｔｉｐｌｅ  Ａｃｃｅｓｓ）、マルチユーザ共有接続（ＭＵＳＡ：Ｍｕｌｔｉ  Ｕｓｅｒ  Ｓｈａｒｅｄ  Ａｃｃｅｓｓ）、インターリーブ分割多元接続（ＩＤＭＡ：Ｉｎｔｅｒｗｅａｖｅｒ  Ｄｉｖｉｓｉｏｎ  Ｍｕｌｔｉｐｌｅ  Ａｃｃｅｓｓ）、又は他の非直交多元接続方式であるように構成するために用いられる。
【０１０６】
第４の構成情報は、非直交多元接続におけるユーザを区別するための署名（ｓｉｇｎａｔｕｒｅ）がスパースコードワード、非直交コードワード、インターリーバ、又はユーザを区別するための他の署名であるように構成するために用いられる。
【０１０７】
第５の構成情報は、該第１のサブフィールドの長さ及び／又は第１のフィールドの長さを構成するために用いられる。
【０１０８】
第６の構成情報は、該第１のサブフィールドにより指示される第１の時間周波数リソースの周波数領域での分割方式が、周波数帯域全体を分割単位とするものであり、或いは一部の周波数帯域を分割単位とするものであるように構成するために用いられる。
【０１０９】
第７の構成情報は、該第１のサブフィールドにより指示される第１の時間周波数リソースの時間領域での時間単位が１つ又は２つ以上のスロット（ｓｌｏｔ）、１つ又は２つ以上の非スロット（ｎｏｎ−ｓｌｏｔ）、１つ又は２つ以上のミニスロット（ｍｉｎｉ−ｓｌｏｔ）、又は１つ又は２つ以上のシンボル（ｓｙｍｂｏｌ）であるように構成するために用いられる。
【０１１０】
第８の構成情報は、該端末装置のために、第１のＤＣＩを監視（ｍｏｎｉｔｏｒ）する周期を構成するために用いられる。
【０１１１】
第９の構成情報は、該端末装置のサービングセルのインデックス（ｉｎｄｅｘ）の集合を構成するために用いられる。
【０１１２】
第１０の構成情報は、該端末装置の各サービングセルに対応する第１のサブフィールドの第１のフィールドにおける位置を構成するために用いられる。
【０１１３】
第１１の構成情報は、第１のＤＣＩをスクランブルする無線ネットワーク一時識別子（ＲＮＴＩ）を構成するために用いられる。
【０１１４】
本実施例では、異なる構成情報は、異なる上位層のシグナリングを介して送信されてもよい。
【０１１５】
また、他の態様では、上記の第２の構成情報〜第１１の構成情報の何れかにより構成された情報は、所定の情報であってもよい。これによって、構成情報を介して端末装置を構成する必要がない。
【０１１６】
図３に示すように、該方法は以下のステップをさらに含んでもよい。
【０１１７】
ステップ３０３：該第１の時間周波数リソースと該端末装置のアップリンクデータを送信するための第２の時間周波数リソースとは、少なくとも部分的に重複し、該端末装置は、アップリンクデータを、少なくとも重複する時間周波数リソースで送信せず、或いは低電力で送信し、或いは非直交多元接続方式で送信する。
【０１１８】
本実施例のステップ３０３において、上記の重複が存在する場合、以下のようにする。
【０１１９】
１つの態様では、端末装置は、アップリンクデータを、重複する時間周波数リソースで送信せず、或いは低電力で送信し、或いは非直交多元接続方式で送信する。
【０１２０】
もう１つの態様では、該端末装置は、アップリンクデータを、第２の時間周波数リソースで送信せず、或いは低電力で送信し、或いは非直交多元接続方式で送信する。即ち、端末装置は、重複する時間周波数リソースにおいて優先度を低くすることだけではなく、第２の時間周波数リソース全体において優先度を低くする。この態様は、第１のＤＣＩを受信した際に、該端末装置が第２の時間周波数リソースでデータの送信を未だ開始していない場合に適用される。
【０１２１】
もう１つの態様では、該端末装置は、アップリンクデータを、第１のＤＣＩを受信した後の第２の時間周波数リソースで送信せず、或いは低電力で送信し、或いは非直交多元接続方式で送信する。この態様は、第１のＤＣＩを受信する前に、該端末装置が第２の時間周波数リソースで既にデータを送信した態様に適用される。
【０１２２】
例えば、端末装置は、ブラインド検出を行い、受信された第１のＤＣＩを検出した後に、アップリンクデータを送信するための第２の時間周波数リソースと第１の時間周波数リソースとが少なくとも部分的に重複しているか否かを判断してもよい。ここで、該第１の時間周波数リソースは、時間領域でｎ＋Ｎ３の後のＮ個の時間単位であってもよく、ここで、ｎは、端末装置が該第１のＤＣＩを検出した時の時間単位であり、Ｎ３は、端末装置が該第１のＤＣＩを復調し、優先度の低いものにハンドオーバするためのプロセスに必要な時間単位である。
【０１２３】
重複していると端末装置により判断された場合、該端末装置は、少なくとも該重複する時間周波数リソースで、アップリンクデータを送信せず、或いは低電力で送信し、或いは非直交多元接続方式で送信する。
【０１２４】
重複していないと端末装置により判断された場合、該端末装置は、第２の時間周波数リソースで通常のアップリンクデータ送信を行う。
【０１２５】
本実施例によれば、アップリンクデータを搬送するための時間周波数リソースのうちのどの時間周波数リソースが優先度の高い端末装置により割り込まれているかを、ダウンリンク制御情報により優先度の低い端末装置に指示することで、端末装置のアップリンクデータ伝送が割り込まれている場合、端末装置に効果的に指示することができる。
【０１２６】
＜実施例３＞
本実施例３は、ダウンリンク制御情報（ＤＣＩ）の送信装置を提供する。該装置の問題解決の原理は実施例１の方法と類似するため、その具体的な実施は実施例１の方法の実施を参考してもよく、同様な内容について説明を省略する。
【０１２７】
図４は本発明の実施例３のダウンリンク制御情報（ＤＣＩ）の送信装置の１つの概略図である。図４に示すように、装置４００は、第１の送信部４０１を含む。第１の送信部４０１は、端末装置に、アップリンクデータを送信するための割り込まれた第１の時間周波数リソースを指示するための第１のＤＣＩを送信する。該第１のＤＣＩは、少なくとも該第１の時間周波数リソースの位置を指示する第１のフィールドを含む。
【０１２８】
本実施例では、第１のＤＣＩは、該第１の時間周波数リソースで搬送されているアップリンクデータを、該第１の時間周波数リソースで送信せず、或いは低電力で送信し、或いは非直交多元接続方式で送信するように、端末装置に指示するために用いられる。
【０１２９】
本実施例では、該装置により該端末装置のために構成された該第１のＤＣＩを監視（ｍｏｎｉｔｏｒ）するための周期は、該装置により該端末装置のために構成された第２のＤＣＩを監視（ｍｏｎｉｔｏｒ）するための周期以下であり、該第２のＤＣＩは、第２の時間周波数リソースでアップリンクデータを送信するように該端末装置に指示するために用いられる。
【０１３０】
本実施例では、該第１のＤＣＩのＤＣＩフォーマットは、第３のＤＣＩのＤＣＩフォーマットと同一であり、或いは異なり、該第３のＤＣＩは、ダウンリンクデータを伝送するための割り込まれた第３の時間周波数リソースを、該端末装置に指示するために用いられる。
【０１３１】
本実施例では、該第１のＤＣＩのＤＣＩフォーマットが該第３のＤＣＩのＤＣＩフォーマットと同一である場合、該第１のＤＣＩは、該第３のＤＣＩよりも１つ多い情報フィールド（ｉｎｆｏｒｍａｔｉｏｎ  ｆｉｅｌｄ）を有し、該情報フィールドにおける情報ビットは、現在送信されているＤＣＩが該第１のＤＣＩであるか、それとも該第３のＤＣＩであるかを指示するために用いられる。
【０１３２】
本実施例では、該第１のＤＣＩのＤＣＩフォーマットが該第３のＤＣＩのＤＣＩフォーマットと異なる場合、該第１のＤＣＩは、該端末装置の専用（ＵＥ−ｓｐｅｃｉｆｉｃ）ＤＣＩであり、或いは、該第１のＤＣＩは、グループ共通（ＵＥ−ｇｒｏｕｐ  ｃｏｍｍｏｎ）ＤＣＩである。
【０１３３】
本実施例では、該第１のフィールドは、少なくとも１つの第１のサブフィールドを有し、該第１のサブフィールドは、該端末装置の１つのサービングセルに対応する。
【０１３４】
本実施例では、該第１のサブフィールドの長さは、所定の長さ、又は該送信装置４００により送信された構成情報により構成された長さである。
【０１３５】
本実施例では、割り込まれた第１の時間周波数リソースの周波数領域分割方式が、周波数帯域全体を分割単位とするものである場合、該第１のサブフィールドの１つ以上のデータビットは、該周波数帯域における１つの時間単位が割り込まれているか否かを指示し、或いは、該第１のサブフィールドの１つのデータビットは、該周波数帯域における１つ以上の時間単位が割り込まれているか否かを指示する。
【０１３６】
本実施例では、割り込まれた第１の時間周波数リソースの周波数領域分割方式が、周波数帯域全体のうちの一部の周波数帯域を分割単位とするものである場合、該割り込まれたデータ伝送リソースの周波数領域は、２つ以上の部分周波数帯域に分割され、該第１のサブフィールドは少なくとも２組のデータビットを含み、各組のデータビットは各部分周波数帯域に対応し、各組のデータビットにおいて、１つ以上のデータビットは、該部分周波数帯域における１つの時間単位が割り込まれているか否かを指示し、或いは、１つのデータビットは、該部分周波数帯域における１つ以上の時間単位が割り込まれているか否かを指示する。
【０１３７】
本実施例では、図４に示すように、該装置は、第２の送信部４０２を含む。第２の送信部４０２は、少なくとも該第１のＤＣＩを構成するための構成情報を送信する。
【０１３８】
本実施例では、該構成情報は、少なくとも第１の構成情報を含む。該第１の構成情報は、該第１のＤＣＩを構成するために用いられる。
【０１３９】
本実施例では、該構成情報は、以下の少なくとも１つの構成情報をさらに含んでもよい。
【０１４０】
第２の構成情報は、該第１の時間周波数リソースで搬送されているアップリンクデータを、送信せず、或いは低電力で送信し、或いは非直交多元接続方式で送信するように、該端末装置を構成するために用いられる。
【０１４１】
第３の構成情報は、非直交多元接続方式がスパース符号多元接続（ＳＣＭＡ：Ｓｐａｒｓｅ  Ｃｏｄｅ  Ｍｕｌｔｉｐｌｅ  Ａｃｃｅｓｓ）、マルチユーザ共有接続（ＭＵＳＡ：Ｍｕｌｔｉ  Ｕｓｅｒ  Ｓｈａｒｅｄ  Ａｃｃｅｓｓ）、インターリーブ分割多元接続（ＩＤＭＡ：Ｉｎｔｅｒｗｅａｖｅｒ  Ｄｉｖｉｓｉｏｎ  Ｍｕｌｔｉｐｌｅ  Ａｃｃｅｓｓ）、又は他の非直交多元接続方式であるように構成するために用いられる。
【０１４２】
第４の構成情報は、非直交多元接続におけるユーザを区別するための署名（ｓｉｇｎａｔｕｒｅ）がスパースコードワード、非直交コードワード、インターリーバ、又はユーザを区別するための他の署名であるように構成するために用いられる。
【０１４３】
第５の構成情報は、該第１のサブフィールドの長さ及び／又は第１のフィールドの長さを構成するために用いられる。
【０１４４】
第６の構成情報は、該第１のサブフィールドにより指示される第１の時間周波数リソースの周波数領域での分割方式が、周波数帯域全体を分割単位とするものであり、或いは一部の周波数帯域を分割単位とするものであるように構成するために用いられる。
【０１４５】
第７の構成情報は、該第１のサブフィールドにより指示される第１の時間周波数リソースの時間領域での時間単位が１つ又は２つ以上のスロット（ｓｌｏｔ）、１つ又は２つ以上の非スロット（ｎｏｎ−ｓｌｏｔ）、１つ又は２つ以上のミニスロット（ｍｉｎｉ−ｓｌｏｔ）、又は１つ又は２つ以上のシンボル（ｓｙｍｂｏｌ）であるように構成するために用いられる。
【０１４６】
第８の構成情報は、該端末装置のために、第１のＤＣＩを監視（ｍｏｎｉｔｏｒ）する周期を構成するために用いられる。
【０１４７】
第９の構成情報は、該端末装置のサービングセルのインデックス（ｉｎｄｅｘ）の集合を構成するために用いられる。
【０１４８】
第１０の構成情報は、該端末装置の各サービングセルに対応する第１のサブフィールドの第１のフィールドにおける位置を構成するために用いられる。
【０１４９】
第１１の構成情報は、第１のＤＣＩをスクランブルする無線ネットワーク一時識別子（ＲＮＴＩ）を構成するために用いられる。
【０１５０】
本実施例によれば、アップリンクデータを搬送するための時間周波数リソースのうちのどの時間周波数リソースが優先度の高い端末装置により割り込まれているかを、ダウンリンク制御情報により優先度の低い端末装置に指示することで、端末装置のアップリンクデータ伝送が割り込まれている場合、端末装置に効果的に指示することができる。
【０１５１】
＜実施例４＞
本実施例４は、ダウンリンク制御情報（ＤＣＩ）の受信装置を提供する。該装置の問題解決の原理は実施例２の方法と類似するため、その具体的な実施は実施例２の方法の実施を参考してもよく、同様な内容について説明を省略する。
【０１５２】
図５は本発明の実施例４のダウンリンク制御情報（ＤＣＩ）の受信装置の１つの概略図である。図５に示すように、装置５００は、第１の受信部５０１を含む。第１の受信部５０１は、ネットワーク装置により送信された、アップリンクデータを送信するための割り込まれた第１の時間周波数リソースを指示するための第１のＤＣＩを受信する。該第１のＤＣＩは、少なくとも該第１の時間周波数リソースの位置を指示する第１のフィールドを含む。
【０１５３】
本実施例によれば、アップリンクデータを搬送するための時間周波数リソースのうちのどの時間周波数リソースが優先度の高い端末装置により割り込まれているかを、ダウンリンク制御情報により優先度の低い端末装置に指示することで、端末装置のアップリンクデータ伝送が割り込まれている場合、端末装置に効果的に指示することができる。
【０１５４】
本実施例では、該第１のＤＣＩは、該第１の時間周波数リソースで搬送されているアップリンクデータを、該第１の時間周波数リソースで送信せず、或いは低電力で送信し、或いは非直交多元接続方式で送信するように、該端末装置に指示するために用いられる。
【０１５５】
本実施例では、該端末装置の該第１のＤＣＩを監視（ｍｏｎｉｔｏｒ）するための周期は、該端末装置の第２のＤＣＩを監視（ｍｏｎｉｔｏｒ）するための周期以下であり、ここで、該第２のＤＣＩは、第２の時間周波数リソースでアップリンクデータを送信するように該端末装置に指示するために用いられる。
【０１５６】
本実施例では、第１のＤＣＩのＤＣＩフォーマットは、第３のＤＣＩのＤＣＩフォーマットと同一であり、或いは異なり、ここで、該第３のＤＣＩは、ダウンリンクデータを伝送するための割り込まれた第３の時間周波数リソースを、該端末装置に指示するために用いられる。
【０１５７】
本実施例では、該第１のＤＣＩのＤＣＩフォーマットが該第３のＤＣＩのＤＣＩフォーマットと同一である場合、該第１のＤＣＩは、該第３のＤＣＩよりも１つ多い情報フィールド（ｉｎｆｏｒｍａｔｉｏｎ  ｆｉｅｌｄ）を有し、該情報フィールドにおける情報ビットは、現在送信されているＤＣＩが前記第１のＤＣＩであるか、それとも前記第３のＤＣＩであるかを指示するために用いられる。
【０１５８】
本実施例では、該第１のＤＣＩのＤＣＩフォーマットが第３のＤＣＩのＤＣＩフォーマットと異なる場合、第１のＤＣＩは、該端末装置の専用（ＵＥ−ｓｐｅｃｉｆｉｃ）ＤＣＩであってもよいし、或いは、該第１のＤＣＩは、グループ共通（ＵＥ−ｇｒｏｕｐ  ｃｏｍｍｏｎ）ＤＣＩであってもよい。
【０１５９】
本実施例では、該第１のＤＣＩの第１のフィールドは、少なくとも１つの第１のサブフィールドを有し、該第１のサブフィールドは、該端末装置の１つのサービングセルに対応する。
【０１６０】
該第１のサブフィールドの長さは、所定の長さであってもよいし、ネットワーク装置により構成シグナリングを介して構成された長さであってもよい。
【０１６１】
本実施例では、該第１のサブフィールドのデータビットと第１の時間周波数リソースにおける時間単位との対応関係は、本発明の実施例１における説明を参照してもよい。
【０１６２】
例えば、割り込まれた第１の時間周波数リソースの周波数領域分割方式が、周波数帯域全体を分割単位とするものである場合、該第１のサブフィールドの１つ以上のデータビットは、該周波数帯域における１つの時間単位が割り込まれているか否かを指示し、或いは、該第１のサブフィールドの１つのデータビットは、該周波数帯域における１つ以上の時間単位が割り込まれているか否かを指示する。
【０１６３】
また、例えば、割り込まれた第１の時間周波数リソースの周波数領域分割方式が、周波数帯域全体のうちの一部の周波数帯域を分割単位とするものである場合、該割り込まれたデータ伝送リソースの周波数領域は、２つ以上の部分周波数帯域に分割され、該第１のサブフィールドは少なくとも２組のデータビットを含み、各組のデータビットは各部分周波数帯域に対応し、各組のデータビットにおいて、１つ以上のデータビットは、該部分周波数帯域における１つの時間単位が割り込まれているか否かを指示し、或いは、１つのデータビットは、該部分周波数帯域における１つ以上の時間単位が割り込まれているか否かを指示する。
【０１６４】
本実施例では、図５に示すように、該受信装置は、第２の受信部５０２をさらに含む。
【０１６５】
第２の受信部５０２は、ネットワーク装置により送信された、少なくとも該第１のＤＣＩを構成するための構成情報を受信する。
【０１６６】
本実施例では、端末装置は、上位層のシグナリングを介して、ネットワーク装置により送信された該構成情報を受信してもよい。
【０１６７】
本実施例では、該構成情報は、少なくとも第１の構成情報を含む。該第１の構成情報は、該第１のＤＣＩを構成するために用いられる。
【０１６８】
本実施例では、該構成情報は、以下の少なくとも１つの構成情報をさらに含んでもよい。
【０１６９】
第２の構成情報は、該第１の時間周波数リソースで搬送されているアップリンクデータを、送信せず、或いは低電力で送信し、或いは非直交多元接続方式で送信するように、該端末装置を構成するために用いられる。
【０１７０】
第３の構成情報は、非直交多元接続方式がスパース符号多元接続（ＳＣＭＡ：Ｓｐａｒｓｅ  Ｃｏｄｅ  Ｍｕｌｔｉｐｌｅ  Ａｃｃｅｓｓ）、マルチユーザ共有接続（ＭＵＳＡ：Ｍｕｌｔｉ  Ｕｓｅｒ  Ｓｈａｒｅｄ  Ａｃｃｅｓｓ）、インターリーブ分割多元接続（ＩＤＭＡ：Ｉｎｔｅｒｗｅａｖｅｒ  Ｄｉｖｉｓｉｏｎ  Ｍｕｌｔｉｐｌｅ  Ａｃｃｅｓｓ）、又は他の非直交多元接続方式であるように構成するために用いられる。
【０１７１】
第４の構成情報は、非直交多元接続におけるユーザを区別するための署名（ｓｉｇｎａｔｕｒｅ）がスパースコードワード、非直交コードワード、インターリーバ、又はユーザを区別するための他の署名であるように構成するために用いられる。
【０１７２】
第５の構成情報は、該第１のサブフィールドの長さ及び／又は第１のフィールドの長さを構成するために用いられる。
【０１７３】
第６の構成情報は、該第１のサブフィールドにより指示される第１の時間周波数リソースの周波数領域での分割方式が、周波数帯域全体を分割単位とするものであり、或いは一部の周波数帯域を分割単位とするものであるように構成するために用いられる。
【０１７４】
第７の構成情報は、該第１のサブフィールドにより指示される第１の時間周波数リソースの時間領域での時間単位が１つ又は２つ以上のスロット（ｓｌｏｔ）、１つ又は２つ以上の非スロット（ｎｏｎ−ｓｌｏｔ）、１つ又は２つ以上のミニスロット（ｍｉｎｉ−ｓｌｏｔ）、又は１つ又は２つ以上のシンボル（ｓｙｍｂｏｌ）であるように構成するために用いられる。
【０１７５】
第８の構成情報は、該端末装置のために、第１のＤＣＩを監視（ｍｏｎｉｔｏｒ）する周期を構成するために用いられる。
【０１７６】
第９の構成情報は、該端末装置のサービングセルのインデックス（ｉｎｄｅｘ）の集合を構成するために用いられる。
【０１７７】
第１０の構成情報は、該端末装置の各サービングセルに対応する第１のサブフィールドの第１のフィールドにおける位置を構成するために用いられる。
【０１７８】
第１１の構成情報は、第１のＤＣＩをスクランブルする無線ネットワーク一時識別子（ＲＮＴＩ）を構成するために用いられる。
【０１７９】
本実施例では、異なる構成情報は、異なる上位層のシグナリングを介して送信されてもよい。
【０１８０】
また、他の態様では、上記の第２の構成情報〜第１１の構成情報の何れかにより構成された情報は、所定の情報であってもよい。これによって、構成情報を介して端末装置を構成する必要がない。
【０１８１】
図５に示すように、該装置は、第１の送信制御部５０３をさらに含んでもよい。
【０１８２】
第１の送信制御部５０３は、アップリンクデータを、少なくとも重複する時間周波数リソースで送信せず、或いは低電力で送信し、或いは非直交多元接続方式で送信するように、該端末装置を制御する。
【０１８３】
１つの態様では、第１の送信制御部５０３は、アップリンクデータを、重複する時間周波数リソースで送信せず、或いは低電力で送信し、或いは非直交多元接続方式で送信するように、該端末装置を制御する。
【０１８４】
もう１つの態様では、第１の送信制御部５０３は、アップリンクデータを、第２の時間周波数リソースで送信せず、或いは低電力で送信し、或いは非直交多元接続方式で送信するように、該端末装置を制御する。
【０１８５】
もう１つの態様では、第１の送信制御部５０３は、アップリンクデータを、第１のＤＣＩを受信した後の第２の時間周波数リソースで送信せず、或いは低電力で送信し、或いは非直交多元接続方式で送信するように、該端末装置を制御する。
【０１８６】
本実施例によれば、アップリンクデータを搬送するための時間周波数リソースのうちのどの時間周波数リソースが優先度の高い端末装置により割り込まれているかを、ダウンリンク制御情報により優先度の低い端末装置に指示することで、端末装置のアップリンクデータ伝送が割り込まれている場合、端末装置に効果的に指示することができる。
【０１８７】
＜実施例５＞
本実施例５はネットワーク装置を提供し、該装置の問題解決の原理は実施例１の方法と類似するため、その具体的な実施は実施例１の方法の実施を参考してもよく、同様な内容について説明を省略する。
【０１８８】
図６は本発明の実施例のネットワーク装置の構成の概略図である。図６に示すように、ネットワーク装置６００は、中央処理装置（ＣＰＵ）６０１及びメモリ６０２を含んでもよく、メモリ６０２は中央処理装置６０１に接続される。メモリ６０２は、各種のデータを記憶してもよいし、データ処理のプログラムをさらに記憶し、中央処理装置６０１の制御で該プログラムを実行する。
【０１８９】
１つの態様では、装置４００の機能は中央処理装置６０１に統合され、ここで、中央処理装置６０１により実施例１のダウンリンク制御情報（ＤＣＩ）の送信方法を実現してもよい。
【０１９０】
例えば、中央処理装置６０１は、ネットワーク装置６００が実施例１の方法を実行するように制御するように構成されてもよい。
【０１９１】
また、中央処理装置６０１の他の構成方式は、実施例１を参照してもよく、ここでその説明を省略する。
【０１９２】
もう１つの態様では、装置４００は中央処理装置６０１とそれぞれ配置されてもよく、例えば装置４００は中央処理装置６０１に接続されたチップであり、図６に示すように、中央処理装置６０１の制御により装置４００の機能を実現してもよい。
【０１９３】
また、図６に示すように、ネットワーク装置６００は、送受信機６０３及びアンテナ６０４などをさらに含んでもよい。上記部材の機能は従来技術と類似し、ここでその説明を省略する。なお、ネットワーク装置６００は図６に示す全てのユニットを含む必要がない。また、ネットワーク装置６００は、図６に示されていないユニットをさらに含んでもよく、従来技術を参照してもよい。
【０１９４】
本実施例によれば、アップリンクデータを搬送するための時間周波数リソースのうちのどの時間周波数リソースが優先度の高い端末装置により割り込まれているかを、ダウンリンク制御情報により優先度の低い端末装置に指示することで、端末装置のアップリンクデータ伝送が割り込まれている場合、端末装置に効果的に指示することができる。
【０１９５】
＜実施例６＞
本実施例６は端末装置を提供し、該装置の問題解決の原理は実施例２の方法と類似するため、その具体的な実施は実施例２の方法の実施を参考してもよく、同様な内容について説明を省略する。
【０１９６】
図７は本発明の実施例６の端末装置の構成の概略図である。図７に示すように、端末装置７００は、中央処理装置（ＣＰＵ）７０１及びメモリ７０２を含んでもよく、メモリ７０２は中央処理装置７０１に接続される。メモリ７０２は、各種のデータを記憶してもよいし、データ処理のプログラムをさらに記憶し、中央処理装置７０１の制御で該プログラムを実行し、受信されたシグナリングに基づいて端末装置に指示する。
【０１９７】
１つの態様では、実施例４の装置５００の機能は端末装置７００の中央処理装置７０１に統合されてもよい。ここで、中央処理装置７０１は、実施例２のダウンリンク制御情報（ＤＣＩ）の受信方法を実現し、該受信された情報に基づいて端末装置に指示するように構成されてもよい。
【０１９８】
例えば、中央処理装置７０１は、端末装置７００が実施例２の方法を実行するように制御するように構成されてもよい。
【０１９９】
また、中央処理装置７０１の他の構成方式は、実施例２を参照してもよく、ここでその説明を省略する。
【０２００】
もう１つの態様では、該装置５００は中央処理装置７０１とそれぞれ配置されてもよく、例えば装置５００は中央処理装置７０１に接続されたチップであり、図７に示すように、中央処理装置７０１の制御により装置５００の機能を実現してもよい。
【０２０１】
本実施例によれば、アップリンクデータを搬送するための時間周波数リソースのうちのどの時間周波数リソースが優先度の高い端末装置により割り込まれているかを、ダウンリンク制御情報により優先度の低い端末装置に指示することで、端末装置のアップリンクデータ伝送が割り込まれている場合、端末装置に効果的に指示することができる。
【０２０２】
＜実施例７＞
本実施例７は、少なくとも実施例５のネットワーク装置６００と、実施例６の端末装置７００を含む通信システムを提供する。ここで、実施例５及び実施例の内容を援用し、その説明を省略する。
【０２０３】
以下は、具体的な態様を一例にして、ネットワーク装置６００及び端末装置７００を含む通信システムにおいて、第１の時間周波数リソースが割り込まれていることを端末装置７００に指示する動作のフローを説明する。
【０２０４】
図８は該動作のフローの概略図である。
【０２０５】
図８に示すように、この態様では、第１のＤＣＩのＤＣＩフォーマットと第３のＤＣＩのＤＣＩフォーマットとは異なり、割り込まれている時間周波数リソースは周波数領域において周波数帯域全体で指示され、第１のＤＣＩの第１のサブフィールドのデータビットは固定の長さである。図８に示すように、該動作のフローは以下の通りである。
【０２０６】
ステップ１：優先度の高い端末装置７００ａは、ネットワーク装置６００にスケジューリング要求（ＳＲ：Ｓｃｈｅｄｕｌｉｎｇ  Ｒｅｑｕｅｓｔ）を送信する。
【０２０７】
ステップ２：ネットワーク装置６００は、上位層シグナリングを介して、端末装置７００ａとリソースを共有している優先度の低い端末装置７００に構成情報を送信し、構成情報に基づいて端末装置７００を以下のように構成してもよい。
【０２０８】
１）上位層シグナリング（例えば、Ｕｐｌｉｎｋ−Ｐｒｅｅｍｐｔｉｏｎ）を介して第１のＤＣＩを構成する。
【０２０９】
２）上位層シグナリング（例えば、ｉｎｔ−Ｕｐｌｉｎｋ−ＲＮＴＩ）を介して第１のＤＣＩをスクランブルするための無線ネットワーク一時識別子を構成する。
【０２１０】
３）上位層シグナリング（例えば、ＩＮＴ−ｃｅｌｌ−ｔｏ−ＩＮＴ）を介してサービングセルインデックスの集合を構成する。例えば、サービングセルはｃｅｌｌ  １とｃｅｌｌ  ２であり、その集合は｛ｃｅｌｌ  １、ｃｅｌｌ  ２｝である。
【０２１１】
４）上位層シグナリング（例えば、ｃｅｌｌ−ｔｏ−ＩＮＴ）を介して、該端末装置の各サービングセルに対応する第１のサブフィールドの第１のフィールドにおける位置、即ち、サービングセル集合における各サービングセルとの第１のサブフィールドとのマッピング関係｛ｃｅｌｌ  １←→ｐｒｅｅｍｐｔｉｏｎ  ｉｎｄｉｃａｔｉｏｎ  １、ｃｅｌｌ  ２←→ｐｒｅｅｍｐｔｉｏｎ  ｉｎｄｉｃａｔｉｏｎ  ２｝を構成する。ここで、ｐｒｅｅｍｐｔｉｏｎ  ｉｎｄｉｃａｔｉｏｎ  １及びｐｒｅｅｍｐｔｉｏｎ  ｉｎｄｉｃａｔｉｏｎ  ２は何れも第１のサブフィールドである。
【０２１２】
５）上位層シグナリング（例えば、ＩＮＴ−ＤＣＩ−ｐａｙｌｏａｄ−ｌｅｎｇｔｈ）を介して、ＤＣＩフォーマット有効ロードのサイズを２８ビットに構成する。
【０２１３】
６）上位層シグナリング（例えば、ＩＮＴ−ＴＦ−ｕｎｉｔ）を介して、サービングセル集合における各サービングセルのために、割り込まれた時間周波数リソースの周波数領域での分割方式｛０，０｝を構成し、周波数領域で周波数帯域全体を分割単位とすることを表す。
【０２１４】
７）上位層シグナリング（例えば、Ｍｏｎｉｔｏｒｉｎｇ−ｐｅｒｉｏｄｉｃｉｔｙ−ＰＤＣＣＨ−ＩＮＴ）を介して、第１のＤＣＩの検出周期を、２つのシンボルごとに１回検出することに構成する。
【０２１５】
８）上位層シグナリング（例えば、ＩＮＴ−ｔｉｍｅ−ｌｅｎｇｔｈ）を介して、第１のＤＣＩにより指示される割り込まれた時間周波数リソースの時間の長さを４つのシンボルに構成する。
【０２１６】
９）上位層シグナリング（例えば、ＵＬ−ｐｒｅｅｍｐｔｉｏｎ−ｍｅｔｈｏｄ）を介して、割り込まれる方式が、指定される第１の時間周波数リソースでアップリンクデータを送信しないことであるように端末装置を構成する。
【０２１７】
ステップ３：ネットワーク装置６００は、ダウンリンク制御チャネルにおいて、同一のグループのＤＣＩで端末装置７００に第１のＤＣＩを送信する。ここで、第１のＤＣＩにおいては、以下の通りである。
【０２１８】
１）各セルは、固定ビット長のＬｂｉｔを使用して、ｎ＋Ｎ３の後のＮ個の時間単位でのどのシンボルが割り込まれているかを示す。ここで、ｎは、アップリンク割り込み指示が検出された時間単位であり、Ｎ３は、端末装置７００がアップリンクプリエンプション指示を復調し、対応する時間周波数リソースデータを取り消し、或いは遅延させるために必要な時間単位であり、ここで、Ｌ＝１４を所定値とし、Ｎ３＝４、Ｎ＝４、時間単位はシンボルである。
【０２１９】
２）上記の４つのシンボルのうちの０番目と１番目のシンボルは、連続的な４ビットを使用して、シンボルが割り込まれているか否かを示し、２番目と３番目のシンボルは、連続的な３つのビットを使用して、シンボルが割り込まれているか否かを示す。
【０２２０】
３）ｃｅｌｌ  １の０番目、１番目及び２番目の３つのシンボルが割り込まれている場合、第１のＤＣＩにおける該ｃｅｌｌ  １に対応する第１のサブフィールドの１４ｂｉｔの値は１１１１１１１１１１１０００である。ｃｅｌｌ  ２の２番目と３番目の２つのシンボルが割り込まれている場合、第１のＤＣＩにおける該ｃｅｌｌ  ２に対応する第１のサブフィールドの１４ｂｉｔの値は００００１１１１１１１０００である。第１のサブフィールドと第２のサブフィールドには、合計２８ビット（ｂｉｔ）のデータがある。
【０２２１】
４）上位層で構成されたｉｎｔ−Ｕｐｌｉｎｋ−ＲＮＴＩを使用して、上記の送信される２８ｂｉｔのデータをスクランブルする。
【０２２２】
ステップ４：ネットワーク装置６００は、端末装置７００ａにアップリンク許可（ＵＬ  ｇｒａｎｔ）を送信する。
【０２２３】
ステップ５：優先度の低い端末装置７００は、監視周期内でダウンリンク制御情報に対してブラインド検出を行う。
【０２２４】
端末装置７００は、検出された第１のＤＣＩに基づいて、ｎ＋４番目のシンボルからの４つのシンボル内で該第１のＤＣＩの第１のサブフィールド（例えば、ＵＬ  ｐｒｅｅｍｐｔｉｏｎ  ｉｎｄｉｃａｔｉｏｎ）により指示される第１の時間周波数リソースにおいて、上位層シグナリングにより構成された方法により、アップリンクデータを送信しない。ここで、ｎは、該第１のＤＣＩが検出されたシンボルのインデックスであり、該シンボルのインデックスに基づいて、該第１のＤＣＩが検出された時間単位を決定してもよい。この例では、第１の時間周波数リソースは、全て第２の時間周波数リソースに含まれている。
【０２２５】
ステップ６：端末装置７００は、ＵＬ  ｇｒａｎｔを復調し、アップリンクデータ情報を送信する。
【０２２６】
本実施例によれば、アップリンクデータを搬送するための時間周波数リソースのうちのどの時間周波数リソースが優先度の高い端末装置により割り込まれているかを、ダウンリンク制御情報により優先度の低い端末装置に指示することで、端末装置のアップリンクデータ伝送が割り込まれている場合、端末装置に効果的に指示することができる。
【０２２７】
本発明の実施例は、コンピュータ読み取り可能なプログラムが記憶されている記憶媒体であって、該プログラムを実行する際に、ダウンリンク制御情報（ＤＣＩ）の送信装置又はネットワーク装置に実施例１に記載のダウンリンク制御情報（ＤＣＩ）の送信方法を実行させる、記憶媒体をさらに提供する。
【０２２８】
本発明の実施例では、コンピュータ読み取り可能なプログラムであって、ダウンリンク制御情報（ＤＣＩ）の送信装置又はネットワーク装置において該プログラムを実行する際に、該ダウンリンク制御情報（ＤＣＩ）の送信装置又はネットワーク装置に上記の実施例１に記載のダウンリンク制御情報（ＤＣＩ）の送信方法を実行させる、プログラムをさらに提供する。
【０２２９】
本発明の実施例では、コンピュータ読み取り可能なプログラムが記憶されている記憶媒体であって、該プログラムを実行する際に、ダウンリンク制御情報（ＤＣＩ）の受信装置又は端末装置に実施例２に記載のダウンリンク制御情報（ＤＣＩ）の受信方法を実行させる、記憶媒体をさらに提供する。
【０２３０】
本発明の実施例では、コンピュータ読み取り可能なプログラムであって、ダウンリンク制御情報（ＤＣＩ）の受信装置又は端末装置において該プログラムを実行する際に、該ダウンリンク制御情報（ＤＣＩ）の受信装置又は端末装置に実施例２に記載のダウンリンク制御情報（ＤＣＩ）の受信方法を実行させる、プログラムをさらに提供する。
【０２３１】
＜実施例８＞
本発明の実施例８は、ダウンリンク制御情報（ＤＣＩ）の送信方法を提供し、該方法はネットワーク装置により実行される。
【０２３２】
図９は本発明の実施例８のダウンリンク制御情報（ＤＣＩ）の送信方法の１つの概略図である。図９に示すように、該方法は以下のステップを含む。
【０２３３】
ステップ９０１：ネットワーク装置は、端末装置に第４のＤＣＩを送信する。該第４のＤＣＩは、アップリンクデータを送信するための割り込まれた第１の時間周波数リソース、及びダウンリンクデータを伝送するための割り込まれた第３の時間周波数リソースを指示するために用いられ、該第４のＤＣＩは、少なくとも該第１の時間周波数リソースの位置及び該第３の時間周波数リソースの位置を指示する第２のフィールドを含む。
【０２３４】
本実施例によれば、アップリンクデータを搬送するための時間周波数リソースのうちのどの時間周波数リソースが優先度の高い端末装置により割り込まれているか、及びダウンリンクデータを搬送するための時間周波数リソースのうちのどの時間周波数リソースが優先度の高い端末装置により割り込まれているかを、ダウンリンク制御情報により端末装置に指示することで、端末装置のアップリンクデータ伝送及びダウンリンクデータ伝送が割り込まれている場合、端末装置に共同指示を行うことができる。
【０２３５】
本実施例では、第１の時間周波数リソース又は第３の時間周波数リソースが割り込まれ（ｉｎｔｅｒｒｕｐｔｔｅｄ）、或いはプリエンプション（ｐｒｅ−ｅｍｐｔｉｏｎ）されることは、端末装置が該第１の時間周波数リソースを介してアップリンクデータを伝送し、或いは該第３の時間周波数リソースを介してダウンリンクデータを伝送する際に、優先度の高い端末装置により割り込まれることを意味する。
【０２３６】
本実施例では、端末装置の第１の時間周波数リソースが割り込まれた場合、該端末装置は、第１の時間周波数リソースにおいて比較的に低い優先度を有する。ここで、該低い優先度の表現方式は、例えば、該端末装置が第１の時間周波数リソースで搬送されているアップリンクデータを該第１の時間周波数リソースで送信せず、或いは低電力で送信し、或いは非直交多元接続方式で送信することであってもよい。ここで、該アップリンクデータを低電力で送信することは、該端末装置が正常の送信電力よりも低い送信電力に低減することで、優先度の高い端末装置よりも低い電力でアップリンクデータを送信することを意味する。
【０２３７】
本実施例では、該低い優先度の表現方式は、第４のＤＣＩにより該端末装置に指示されてもよいし、予め設定されてもよい。
【０２３８】
本実施例では、該ネットワーク装置により前記端末装置のために構成された該第４のＤＣＩを監視（ｍｏｎｉｔｏｒ）するための周期は、該ネットワーク装置により該端末装置のために構成された第２のＤＣＩを監視（ｍｏｎｉｔｏｒ）するための周期以下であり、該第２のＤＣＩは、第２の時間周波数リソースでアップリンクデータを送信するように該端末装置に指示するために用いられる。
【０２３９】
本実施例では、該第３の時間周波数リソースは、該第４のＤＣＩの所在する時間領域リソースよりも時間的に早く又は遅く、該第１の時間周波数リソースは、該第４のＤＣＩの所在する時間領域リソースよりも時間的に遅い。
【０２４０】
本実施例では、該第４のＤＣＩのＤＣＩフォーマットは、第３のＤＣＩのＤＣＩフォーマットと同一であり、或いは異なる。ここで、該第３のＤＣＩは、ダウンリンクデータを伝送するための割り込まれた第３の時間周波数リソースを、端末装置に個別に指示するために用いられる。該第３のＤＣＩの説明について、実施例１を参照してもよく、本実施例ではその説明を省略する。
【０２４１】
本実施例では、第４のＤＣＩのＤＣＩフォーマットが該第３のＤＣＩのＤＣＩフォーマットと同一である場合、該第４のＤＣＩは、該第３のＤＣＩよりも１つ多い情報フィールドを有し、該情報フィールドにおける情報ビットは、現在送信されているＤＣＩが該第４のＤＣＩであるか、それとも該第３のＤＣＩであるかを指示するために用いられる。
【０２４２】
本実施例では、第４のＤＣＩのＤＣＩフォーマットが第３のＤＣＩのＤＣＩフォーマットと異なる場合、該第４のＤＣＩは、端末装置の専用（ＵＥ−ｓｐｅｃｉｆｉｃ）ＤＣＩであり、或いは、該第４のＤＣＩは、グループ共通（ＵＥ−ｇｒｏｕｐ  ｃｏｍｍｏｎ）ＤＣＩである。
【０２４３】
本実施例では、第４のＤＣＩの該第２のフィールドは、少なくとも１つの第２のサブフィールドを有し、各第２のサブフィールドは、端末装置の１つのサービングセルに対応する。
【０２４４】
本実施例では、該第２のサブフィールドの長さは、予め設定される。
【０２４５】
本実施例では、各第２のサブフィールドは、第１の部分データビット及び第２の部分データビットを含んでもよい。ここで、第１の部分データビットは、第１の時間周波数リソースに対応し、アップリンクデータ伝送が割り込まれている第１の時間周波数リソースの位置を指示するために用いられる。第２の部分データビットは、第３の時間周波数リソースに対応し、ダウンリンクデータ伝送が割り込まれている第３の時間周波数リソースの位置を指示するために用いられる。
【０２４６】
本実施例では、第１の部分データビットと第２の部分データビットは、時系列で分割されなくてもよく、それぞれが時間的に不連続であってもよく、例えば順序にランダムであってもよい。
【０２４７】
１つの態様では、ネットワーク装置は、該第２のサブフィールドの各データビットを介して、割り込まれている時間周波数リソースを指示し、且つ、割り込まれている時間周波数リソースがアップリンクデータ又はダウンリンクデータを伝送するために用いられるかを指示しなくてもよい。端末装置は、該第４のＤＣＩを受信した場合、第４のＤＣＩを受信した時の端末装置の状態に基づいて、アップリンクデータが干渉されているか、それともダウンリンクデータが干渉されているかを判断してもよい。例えば、端末装置が該第４のＤＣＩを受信した場合、アップリンクデータを送信しており、或いはアップリンクデータを送信しようとしているが、第４のＤＣＩにより指示される割り込まれた時間周波数リソースのうち、一部の時間周波数リソースが該端末装置に割り当てられたアップリンクの時間周波数リソースと重複している。この場合、該端末装置は、該重複している時間周波数リソースを、割り込まれたアップリンクの時間周波数リソース、即ち、該第４のＤＣＩにより指示される割り込まれたアップリンクを送信するための第１の時間周波数リソースとしてもよい。ここで、第４のＤＣＩのうちの部分時間周波数リソースを指示するためのデータビットは、第１の部分データビットである。
【０２４８】
さらに、もう１つの態様では、端末装置は、該第４のＤＣＩの該第２のサブフィールドの各データビットにより指示される割り込まれた時間周波数リソースのうち、どの時間周波数リソースがアップリンクデータを送信し、どの時間周波数リソースがダウンリンクデータを送信するために用いられるかを指示されてもよい。
【０２４９】
本実施例では、割り込まれた第１の時間周波数リソースの周波数領域分割方式と割り込まれた第３の時間周波数リソースの周波数領域分割方式とは同一であってもよいし、異なってもよい。例えば、第１の時間周波数リソース及び第３の時間周波数リソースの周波数領域分割方式は、周波数帯域全体を分割単位とするものであってもよい。或いは、第１の時間周波数リソース及び第３の時間周波数リソースの周波数領域分割方式は、周波数帯域の一部を分割単位とするものであってもよい。或いは、第１の時間周波数リソース及び第３の時間周波数リソースのうちの一方の周波数領域分割方式は、周波数帯域の一部を分割単位とするものであり、他方の周波数領域分割方式は、周波数帯域全体を分割単位とするものであってもよい。
【０２５０】
本実施例では、割り込まれた第１の時間周波数リソース及び／又は第３の第１の時間周波数リソースの周波数領域分割方式が、周波数帯域全体を分割単位とするものである場合、該第２のサブフィールドにおける該第１の部分データビット及び／又は該第２の部分データビットにおいて、１つ以上のデータビットは該周波数帯域における１つの時間単位が割り込まれているか否かを指示し、或いは、１つのデータビットは該周波数帯域における１つ以上の時間単位が割り込まれているか否かを指示する。
【０２５１】
本実施例では、割り込まれた該第１の時間周波数リソース及び／又は割り込まれた該第３の時間周波数リソースの周波数領域分割方式が、一部の周波数帯域を分割単位とするものである場合、割り込まれた時間周波数リソースの周波数領域は、２つ以上の部分周波数帯域に分割され、該第２のサブフィールドにおける該第１の部分データビット及び／又は該第２の部分データビットは少なくとも２組のデータビットを含み、各組のデータビットは各部分周波数帯域に対応し、各組のデータビットにおいて、１つ以上のデータビットは、該部分周波数帯域における１つの時間単位が割り込まれているか否かを指示し、或いは、１つのデータビットは、該部分周波数帯域における１つ以上の時間単位が割り込まれているか否かを指示する。
【０２５２】
本実施例では、第１の部分データビット及び第２の部分データビットについて、各データビットと時間単位との対応関係は、実施例１におけるＬ（又はＬｖ）及びＮについての説明を参照してもよい。
【０２５３】
本実施例では、図９に示すように、該方法は、以下のステップをさらに含む。
【０２５４】
ステップ９０２：ネットワーク装置は端末装置に構成情報を送信する。
【０２５５】
本実施例では、該構成情報は、少なくとも端末装置において該第４のＤＣＩを構成するための第１２の構成情報を含む。
【０２５６】
本実施例では、該構成情報は、以下の構成情報のうちの少なくとも１つをさらに含んでもよい。
【０２５７】
第１３の構成情報は、該第１の時間周波数リソースで搬送されているアップリンクデータを、送信せず、或いは低電力で送信し、或いは非直交多元接続方式で送信するように、該端末装置を構成するために用いられる。
【０２５８】
第１４の構成情報は、非直交多元接続方式がスパース符号多元接続（ＳＣＭＡ：Ｓｐａｒｓｅ  Ｃｏｄｅ  Ｍｕｌｔｉｐｌｅ  Ａｃｃｅｓｓ）、マルチユーザ共有接続（ＭＵＳＡ：Ｍｕｌｔｉ  Ｕｓｅｒ  Ｓｈａｒｅｄ  Ａｃｃｅｓｓ）、インターリーブ分割多元接続（ＩＤＭＡ：Ｉｎｔｅｒｗｅａｖｅｒ  Ｄｉｖｉｓｉｏｎ  Ｍｕｌｔｉｐｌｅ  Ａｃｃｅｓｓ）、又は他の非直交多元接続方式であるように構成するために用いられる。
【０２５９】
第１５の構成情報は、非直交多元接続におけるユーザを区別するための署名がスパースコードワード、非直交コードワード、インターリーバ、又はユーザを区別するための他の署名であるように構成するために用いられる。
【０２６０】
第１６の構成情報は、該第２のフィールドの長さ及び／又は第２のサブフィールドの長さを構成するために用いられる。
【０２６１】
第１７の構成情報は、該第２のサブフィールドにより指示される第１の時間周波数リソースの周波数領域での分割方式が、周波数帯域全体又は一部の周波数帯域であるように、該端末装置に構成するために用いられる。
【０２６２】
第１８の構成情報は、該第２のサブフィールドにより指示される第３の時間周波数リソースの周波数領域での分割粒度が、周波数帯域全体を分割単位とするものであり、或いは一部の周波数帯域を分割単位とするものであるように、該第２端末装置に構成するために用いられる。
【０２６３】
第１９の構成情報は、該第２のサブフィールドにより指示される第１の時間周波数リソース及び／又は第３の時間周波数リソースの時間領域での時間単位が１つ又は２つ以上のスロット（ｓｌｏｔ）、１つ又は２つ以上の非スロット（ｎｏｎ−ｓｌｏｔ）、１つ又は２つ以上のミニスロット（ｍｉｎｉ−ｓｌｏｔ）、又は１つ又は２つ以上のシンボル（ｓｙｍｂｏｌ）であるように、該端末装置に構成するために用いられる。
【０２６４】
第２０の構成情報は、該端末装置のために、第４のＤＣＩを監視（ｍｏｎｉｔｏｒ）する周期を構成するために用いられる。
【０２６５】
第２１の構成情報は、該端末装置のサービングセルのインデックス（ｉｎｄｅｘ）の集合を構成するために用いられる。
【０２６６】
第２２の構成情報は、該端末装置の各サービングセルに対応する第２のサブフィールドの第２のフィールドにおける位置を構成するために用いられる。
【０２６７】
第２３の構成情報は、第４のＤＣＩをスクランブルする無線ネットワーク一時識別子（ＲＮＴＩ）を構成するために用いられる。
【０２６８】
本実施例によれば、アップリンクデータを搬送するための時間周波数リソースのうちのどの時間周波数リソースが優先度の高い端末装置により割り込まれているか、及びダウンリンクデータを搬送するための時間周波数リソースのうちのどの時間周波数リソースが優先度の高い端末装置により割り込まれているかを、ダウンリンク制御情報により端末装置に指示することで、端末装置のアップリンクデータ伝送及びダウンリンクデータ伝送が割り込まれている場合、端末装置に共同指示を行うことができる。
【０２６９】
＜実施例９＞
本発明の実施例９は、ダウンリンク制御情報（ＤＣＩ）の受信方法を提供し、該方法は端末装置により実行される。
【０２７０】
図１０は本発明の実施例９のダウンリンク制御情報の受信方法の１つの概略図である。図１０に示すように、該方法は以下のステップを含む。
【０２７１】
ステップ１００１：端末装置はネットワーク装置から第４のＤＣＩを受信する。該第４のＤＣＩは、アップリンクデータを送信するための割り込まれた第１の時間周波数リソース、及びダウンリンクデータを伝送するための割り込まれた第３の時間周波数リソースを指示するために用いられ、該第４のＤＣＩは、少なくとも該第１の時間周波数リソースの位置及び該第３の時間周波数リソースの位置を指示する第２のフィールドを含む。
【０２７２】
本実施例では、第４のＤＣＩの説明は実施例８を参照してもよく、本実施例ではその説明を省略する。
【０２７３】
図１０に示すように、該方法は以下のステップをさらに含んでもよい。
【０２７４】
ステップ１００２：端末装置はネットワーク装置から構成情報を受信する。
【０２７５】
該構成情報の説明は、実施例８を参照してもよく、本実施例ではその説明を省略する。
【０２７６】
図１０に示すように、該方法は以下のステップをさらに含んでもよい。
【０２７７】
ステップ１００３：該端末装置が該第４のＤＣＩを受信した時のデータ伝送状態がアップリンクデータ伝送である場合、該端末装置は、アップリンクデータを、少なくとも第１の時間周波数リソースと第２の時間周波数リソースとの重複する時間周波数リソースで送信せず、或いは低電力で送信し、或いは非直交多元接続方式で送信する。
【０２７８】
１つの態様では、端末装置は、アップリンクデータを、重複する時間周波数リソースで送信せず、或いは低電力で送信し、或いは非直交多元接続方式で送信する。
【０２７９】
もう１つの態様では、該端末装置は、アップリンクデータを、第２の時間周波数リソースで送信せず、或いは低電力で送信し、或いは非直交多元接続方式で送信する。即ち、端末装置は、重複する時間周波数リソースにおいて優先度を低くすることだけではなく、第２の時間周波数リソース全体において優先度を低くする。この態様は、第１のＤＣＩを受信した際に、該端末装置が第２の時間周波数リソースでデータの送信を未だ開始していない場合に適用される。
【０２８０】
もう１つの態様では、該端末装置は、アップリンクデータを、第１のＤＣＩを受信した後の第２の時間周波数リソースで送信せず、或いは低電力で送信し、或いは非直交多元接続方式で送信する。この態様は、第１のＤＣＩを受信する前に、該端末装置が第２の時間周波数リソースで既にデータを送信した態様に適用される。
【０２８１】
本実施例では、図１０に示すように、該方法は以下のステップをさらに含んでもよい。
【０２８２】
ステップ１００４：端末装置が該第４のＤＣＩを受信した時のデータ伝送状態がダウンリンクデータ伝送である場合、該端末装置は、第３の時間周波数リソースと第４の時間周波数リソースとの重複する時間周波数リソースで受信されたダウンリンクデータを削除する。
【０２８３】
ここで、第４の時間周波数リソースは、端末装置がダウンリンクデータを送信するための時間周波数リソースである。
【０２８４】
本実施例によれば、アップリンクデータを搬送するための時間周波数リソースのうちのどの時間周波数リソースが優先度の高い端末装置により割り込まれているか、及びダウンリンクデータを搬送するための時間周波数リソースのうちのどの時間周波数リソースが優先度の高い端末装置により割り込まれているかを、ダウンリンク制御情報により端末装置に指示することで、端末装置のアップリンクデータ伝送及びダウンリンクデータ伝送が割り込まれている場合、端末装置に共同指示を行うことができる。
【０２８５】
＜実施例１０＞
本実施例１０は、ダウンリンク制御情報（ＤＣＩ）の送信装置を提供し、該装置はネットワーク装置に提供される。該装置の問題解決の原理は実施例８の方法と類似するため、その具体的な実施は実施例８の方法の実施を参考してもよく、同様な内容について説明を省略する。
【０２８６】
図１１は本発明の実施例１０のダウンリンク制御情報（ＤＣＩ）の送信装置の１つの概略図である。図１１に示すように、装置１１００は、第３の送信部１１０１を含む。第３の送信部１１０１は、端末装置に第４のＤＣＩを送信する。該第４のＤＣＩは、アップリンクデータを送信するための割り込まれた第１の時間周波数リソース、及びダウンリンクデータを伝送するための割り込まれた第３の時間周波数リソースを指示するために用いられ、該第４のＤＣＩは、少なくとも該第１の時間周波数リソースの位置及び該第３の時間周波数リソースの位置を指示する第２のフィールドを含む。
【０２８７】
図１１に示すように、装置１１００は、第４の送信部１１０２をさらに含む。第４の送信部１１０２は、端末装置に、少なくとも第４のＤＣＩを構成するための構成情報をに送信する。
【０２８８】
装置１１００の各部の説明は、実施例８における対応するステップの説明を参照してもよい。
【０２８９】
本実施例によれば、アップリンクデータを搬送するための時間周波数リソースのうちのどの時間周波数リソースが優先度の高い端末装置により割り込まれているか、及びダウンリンクデータを搬送するための時間周波数リソースのうちのどの時間周波数リソースが優先度の高い端末装置により割り込まれているかを、ダウンリンク制御情報により端末装置に指示することで、端末装置のアップリンクデータ伝送及びダウンリンクデータ伝送が割り込まれている場合、端末装置に共同指示を行うことができる。
【０２９０】
＜実施例１１＞
本実施例１１は、ダウンリンク制御情報（ＤＣＩ）の受信装置を提供し、該装置は端末装置に適用される。該装置の問題解決の原理は実施例９の方法と類似するため、その具体的な実施は実施例９の方法の実施を参考してもよく、同様な内容について説明を省略する。
【０２９１】
図１２は、本発明の実施例１１の受信装置の１つの概略図である。図１２に示すように、装置１２００は第３の受信部１２０１を含む。第３の受信部１２０１は、ネットワーク装置から第４のＤＣＩを受信する。該第４のＤＣＩは、アップリンクデータを送信するための割り込まれた第１の時間周波数リソース、及びダウンリンクデータを伝送するための割り込まれた第３の時間周波数リソースを指示するために用いられ、該第４のＤＣＩは、少なくとも前記第１の時間周波数リソースの位置及び前記第３の時間周波数リソースの位置を指示する第２のフィールドを含む。
【０２９２】
図１２に示すように、装置１２００は、第４の受信部１２０２をさらに含んでもよい。第４の受信部１２０２は、ネットワーク装置により送信された構成情報を受信する。
【０２９３】
図１２に示すように、装置１２００は、第２の送信制御部１２０３をさらに含んでもよい。該端末装置が該第４のＤＣＩを受信した時のデータ伝送状態がアップリンクデータ伝送である場合、第２の送信制御部１２０３は、アップリンクデータを、少なくとも第１の時間周波数リソースと第２の時間周波数リソースとの重複する時間周波数リソースで送信せず、或いは低電力で送信し、或いは非直交多元接続方式で送信するように、該端末装置を制御する。
【０２９４】
１つの態様では、第２の送信制御部１２０３は、アップリンクデータを、重複する時間周波数リソースで送信せず、或いは低電力で送信し、或いは非直交多元接続方式で送信するように、該端末装置を制御する。もう１つの態様では、第２の送信制御部１２０３は、アップリンクデータを、第２の時間周波数リソースで送信せず、或いは低電力で送信し、或いは非直交多元接続方式で送信するように、該端末装置を制御する。もう１つの態様では、第２の送信制御部１２０３は、アップリンクデータを、第１のＤＣＩを受信した後の第２の時間周波数リソースで送信せず、或いは低電力で送信し、或いは非直交多元接続方式で送信するように、該端末装置を制御する。
【０２９５】
図１２に示すように、装置１２００は、第１の受信制御部１２０４をさらに含んでもよい。端末装置が該第４のＤＣＩを受信した時のデータ伝送状態がダウンリンクデータ伝送である場合、第１の受信制御部１２０４は、重複する時間周波数リソースで受信されたダウンリンクデータを削除するように該端末装置を制御する。
【０２９６】
装置１２００の各部の説明は、実施例９における対応するステップの説明を参照してもよい。
【０２９７】
本実施例によれば、アップリンクデータを搬送するための時間周波数リソースのうちのどの時間周波数リソースが優先度の高い端末装置により割り込まれているか、及びダウンリンクデータを搬送するための時間周波数リソースのうちのどの時間周波数リソースが優先度の高い端末装置により割り込まれているかを、ダウンリンク制御情報により端末装置に指示することで、端末装置のアップリンクデータ伝送及びダウンリンクデータ伝送が割り込まれている場合、端末装置に共同指示を行うことができる。
【０２９８】
＜実施例１２＞
本実施例５はネットワーク装置を提供する。該装置の問題解決の原理は実施例８の方法と類似するため、その具体的な実施は実施例８の方法の実施を参考してもよく、同様な内容について説明を省略する。
【０２９９】
図１３は本発明の実施例のネットワーク装置の構成の概略図である。図１３に示すように、ネットワーク装置１３００は、中央処理装置（ＣＰＵ）１３０１及びメモリ１３０２を含んでもよく、メモリ１３０２は中央処理装置１３０１に接続される。メモリ１３０２は、各種のデータを記憶してもよいし、データ処理のプログラムをさらに記憶し、中央処理装置１３０１の制御で該プログラムを実行する。
【０３００】
１つの態様では、装置１１００の機能は中央処理装置１３０１に統合され、ここで、中央処理装置１３０１により実施例８の方法を実現してもよい。
【０３０１】
例えば、中央処理装置１３０１は、ネットワーク装置１３００が実施例８の方法を実行するように制御するように構成されてもよい。
【０３０２】
また、中央処理装置１３０１の他の構成方式は、実施例８を参照してもよく、ここでその説明を省略する。
【０３０３】
もう１つの態様では、装置１１００は中央処理装置１３０１とそれぞれ配置されてもよく、例えば装置１１００は中央処理装置１３０１に接続されたチップであり、図１３に示すように、中央処理装置１３０１の制御により装置１１００の機能を実現してもよい。
【０３０４】
また、図１３に示すように、ネットワーク装置１３００は、送受信機１３０３及びアンテナ１３０４などをさらに含んでもよい。ここで、上記ユニットの機能は従来技術と同様であり、ここでその説明を省略する。なお、ネットワーク装置１３００は図１３に示す全てのユニットを含む必要がない。また、ネットワーク装置１３００は、図１３に示されていないユニットをさらに含んでもよく、従来技術を参照してもよい。
【０３０５】
本実施例によれば、アップリンクデータを搬送するための時間周波数リソースのうちのどの時間周波数リソースが優先度の高い端末装置により割り込まれているか、及びダウンリンクデータを搬送するための時間周波数リソースのうちのどの時間周波数リソースが優先度の高い端末装置により割り込まれているかを、ダウンリンク制御情報により端末装置に指示することで、端末装置のアップリンクデータ伝送及びダウンリンクデータ伝送が割り込まれている場合、端末装置に共同指示を行うことができる。
【０３０６】
＜実施例１３＞
本実施例１３は端末装置を提供する。該装置の問題解決の原理は実施例９の方法と類似するため、その具体的な実施は実施例９の方法の実施を参考してもよく、同様な内容について説明を省略する。
【０３０７】
図１４は本発明の実施例の端末装置の構成の概略図である。図１４に示すように、端末装置１４００は、中央処理装置（ＣＰＵ）１４０１及びメモリ１４０２を含んでもよく、メモリ１４０２は中央処理装置１４０１に接続される。メモリ１４０２は、各種のデータを記憶してもよいし、データ処理のプログラムをさらに記憶し、中央処理装置１４０１の制御で該プログラムを実行する。
【０３０８】
１つの態様では、装置１２００の機能は中央処理装置１４０１に統合され、中央処理装置１４０１により実施例９の方法を実現してもよい。
【０３０９】
例えば、中央処理装置１４０１は、端末装置１４００が実施例９の方法を実行するように制御するように構成されてもよい。
【０３１０】
また、中央処理装置１４０１の他の構成方式は、実施例９を参照してもよく、ここでその説明を省略する。
【０３１１】
もう１つの態様では、上記の装置１２００は中央処理装置１４０１とそれぞれ配置されてもよく、例えば装置１２００は中央処理装置１４０１に接続されたチップであり、中央処理装置１４０１の制御により装置１２００の機能を実現してもよい。
【０３１２】
また、図１４に示すように、端末装置１４００は、通信モジュール１４０３及び入力部１４０４などをさらに含んでもよい。上記部材の機能は従来技術と類似し、ここでその説明を省略する。なお、端末装置１４００は図１４に示す全てのユニットを含む必要がない。また、端末装置１４００は、図１４に示されていないユニットをさらに含んでもよく、従来技術を参照してもよい。
【０３１３】
本実施例によれば、アップリンクデータを搬送するための時間周波数リソースのうちのどの時間周波数リソースが優先度の高い端末装置により割り込まれているか、及びダウンリンクデータを搬送するための時間周波数リソースのうちのどの時間周波数リソースが優先度の高い端末装置により割り込まれているかを、ダウンリンク制御情報により端末装置に指示することで、端末装置のアップリンクデータ伝送及びダウンリンクデータ伝送が割り込まれている場合、端末装置に共同指示を行うことができる。
【０３１４】
＜実施例１４＞
本実施例１４は、少なくとも実施例１２のネットワーク装置１３００と、実施例１３の端末装置１４００を含む通信システムを提供する。ここで、その内容を援用し、その説明を省略する。
【０３１５】
以下は、具体的な態様を一例にして、ネットワーク装置１３００及び端末装置１４００を含む通信システムにおいて、第１の時間周波数リソース及び第３の時間周波数リソースが割り込まれていることを第４のＤＣＩを介して端末装置１４００に指示する動作のフローを説明する。該通信システムでは、端末装置１４００の数は２つであり、即ち、端末装置１４００−１及び端末装置１４００−２である。さらに、端末装置１４００Ａ及び１４００Ｂは優先度の高い端末装置であり、ここで、端末装置１４００Ａは第３の時間周波数リソースを割り込み、端末装置１４００Ｂは第１の時間周波数リソースを割り込む。
【０３１６】
図１５は該動作のフローの概略図である。
【０３１７】
図１５に示すように、この態様では、第４のＤＣＩシグナリングのＤＣＩフォーマットは、第３のＤＣＩのＤＣＩフォーマットとは異なる。第４のＤＣＩは、周期的に現れ、割り込まれた第１の時間周波数リソース及び第３の時間周波数リソースは、周波数領域で周波数帯域全体を単位として分割され、第４のＤＣＩは固定ビット長である。時間周波数リソースの時間単位はシンボルである。図１５に示すように、このフローは以下のステップを含む。
【０３１８】
ステップ１：ネットワーク装置１３００は、優先度の高い端末装置１４００Ａにダウンリンクデータをスケジューリングするための制御情報を送信する。
【０３１９】
ステップ２：優先度の高いユーザ端末装置１４００Ｂは、ネットワーク装置１３００にスケジューリング要求（ＳＲ）を送信する。
【０３２０】
ステップ３：ネットワーク装置１３００は、上位層シグナリングを介して、端末装置１４００Ａ及び端末装置１４００Ｂとリソースを共有している優先度の低い端末装置１４００−１及び端末装置１４００−２に構成情報を送信し、これによって、端末装置１４００−１及び端末装置１４００−２を以下のように構成する。
【０３２１】
１）上位層のシグナリング（例えば、Ｊｏｉｎｔ−Ｕｐｌｉｎｋ−Ｄｏｗｎｌｉｎｋ−Ｐｒｅｅｍｐｔｉｏｎ）を介して該第４のＤＣＩを構成する。
【０３２２】
２）上位層シグナリング（例えば、ｉｎｔ−ｊｏｉｎｔ−Ｕｐｌｉｎｋ−Ｄｏｗｎｌｉｎｋ−ＲＮＴＩ）を介して、該第４のＤＣＩをスクランブルするための無線ネットワーク一時識別子を構成する。
【０３２３】
３）上位層シグナリング（例えば、ＩＮＴ−ｃｅｌｌ−ｔｏ−ＩＮＴ）を介して、端末装置１４００−１及び端末装置１４００−２のサービングセルの集合｛ｃｅｌｌ  １｝を構成し、例えば、該集合に第１のセルｃｅｌｌ  １のみがある。
【０３２４】
４）上位層シグナリング（例えば、ｃｅｌｌ−ｔｏ−ＩＮＴ）を介して、該端末装置の各サービングセルに対応する第１のサブフィールドの第１のフィールドにおける位置、即ち、サービングセル集合における各サービングセルと第２のサブフィールドとのマッピング関係｛ｃｅｌｌ  １←→ｐｒｅｅｍｐｔｉｏｎ  ｉｎｄｉｃａｔｉｏｎ  １｝を構成する。例えば、ｐｒｅｅｍｐｔｉｏｎ  ｉｎｄｉｃａｔｉｏｎ  １は第２のサブフィールドである。
【０３２５】
５）上位層シグナリング（例えば、Ｊｏｉｎｔ−ＤＣＩ−ＵＬ−ＤＬ−ＰＩ−ｐｅｒｉｏｄｉｃｉｔｙ）を介して第４のＤＣＩの検出周期を構成する。
【０３２６】
６）上位層シグナリング（例えば、ｊｏｉｎｔ−ＵＬ−ＤＬ−ｂｉｔ−ｌｅｎｇｔｈ−ｆｒｏｎｔ）を介して、第４のＤＣＩの出現位置の前のビット長（即ち、データビットの長さ）が１０ｂｉｔであるように構成する。
【０３２７】
７）上位層シグナリング（例えば、ｊｏｉｎｔ−ＵＬ−ＤＬ−ｂｉｔ−ｌｅｎｇｔｈ−ｒｅａｒ）を介して、第４のＤＣＩの出現位置の後のビット長（即ち、データビットの長さ）が３６ｂｉｔであるように構成する。
【０３２８】
８）上位層シグナリング（例えば、ｊｏｉｎｔ−ＵＬ−ＤＬ−ｔｉｍｅ−ｌｅｎｇｔｈ−ｆｒｏｎｔ）を介して、第４のＤＣＩの出現前の作用の期間長さが１０個のシンボルであるように構成する。
【０３２９】
９）上位層シグナリング（例えば、ｊｏｉｎｔ−ＵＬ−ＤＬ−ｔｉｍｅ−ｌｅｎｇｔｈ−ｒｅａｒ）を介して、第４のＤＣＩの出現後の作用の期間長さが１８個のシンボルであるように構成する。
【０３３０】
１０）上位層シグナリング（例えば、ＩＮＴ−ＤＣＩ−ｐａｙｌｏａｄ−ｌｅｎｇｔｈ）を介して、ＤＣＩフォーマット有効ロードのサイズが４６ｂｉｔ、即ち、上記の６）及び７）における１０ｂｉｔと３６ｂｉｔとの和であるように構成する。
【０３３１】
１１）上位層シグナリング（例えば、ＩＮＴ−ＴＦ−ｕｎｉｔ）を介して、サービングセル集合における各サービングセルのために、割り込まれた時間周波数リソースの周波数領域での分割方式｛０，０｝を構成し、周波数領域で周波数帯域全体を分割単位とすることを表す。
【０３３２】
１２）上位層シグナリング（例えば、ＵＬ−ｐｒｅｅｍｐｔｉｏｎ−ｍｅｔｈｏｄ）を介して、アップリンクデータ伝送が割り込まれる方式が、端末装置が指定される時間周波数リソース（即ち第１の時間周波数リソース）において非直交多元接続方式でアップリンクデータを送信することであるように構成する。
【０３３３】
１３）上位層シグナリング（例えば、ＵＬ−ＮＯＭＡ−ｍｅｔｈｏｄ）を介して、非直交多元接続の方法がインターリーブ分割多元接続（ＩＤＭＡ：ｉｎｔｅｒｌｅａｖｅ  ｄｉｖｉｓｉｏｎ  ｍｕｌｔｉｐｌｅ  ａｃｃｅｓｓ）であるように構成する。
【０３３４】
１４）上位層シグナリング（例えばＵＬ−ＮＯＭＡ−ｓｉｇｎａｔｕｒｅ）を介して、上記のＩＤＭＡでユーザを区別するための署名、即ちインターリーバを構成する。
【０３３５】
ステップ４：ネットワーク装置１３００は、該端末装置１４００Ａに送信されたダウンリンク制御情報に基づいて、端末装置１４００Ａにダウンリンクデータ情報を送信する。
【０３３６】
ステップ５：ネットワーク装置１３００は、ダウンリンク制御チャネルにおいてグループ共通のＤＣＩシグナリングで端末装置１４００−１及び端末装置１４００−２に該第４のＤＣＩを送信する。
【０３３７】
１）該第４のＤＣＩの出現前の１０ｂｉｔは、該第４のＤＣＩの出現前の端末装置１４００−１の１０個のシンボルのうちのどのシンボルに対応するダウンリンク時間周波数リソースが割り込まれているかを指示するために用いられる。具体的には、１ｂｉｔは１つのシンボルを表し、例えば、４〜８番目のシンボルが割り込まれている場合、図１５の（１）に示すように、この１０ｂｉｔの値は００００１１１１１０である。
【０３３８】
２）該第４のＤＣＩの出現後の３６ｂｉｔは、該第４のＤＣＩの出現後の１８個のシンボルのうちの端末装置１４００−２のどのシンボルに対応するアップリンク時間周波数リソース（即ち、第１の時間周波数リソース）が割り込まれているか、及び端末装置１４００−１のどのシンボルに対応するダウンリンク時間周波数リソース（即ち、第３の時間周波数リソース）が割り込まれているかを指示するために用いられる。具体的には、各２ｂｉｔは１つのシンボルを表し、上記の３６個のｂｉｔの値は、例えば００００００００００００００１１１１１１１１００００１１１１１１１１００である。端末装置は、該端末装置が第４のＤＣＩを受信した時の状態に応じて、上記の３６ｂｉｔの値に基づいて、アップリンクデータが干渉されているか、それともダウンリンクデータが干渉されているかを判断してもよい。例えば、端末装置１４００−２が第４のＤＣＩを受信した際に、アップリンクデータを送信しようとしており、割り当てられたアップリンク時間周波数リソースが７番目〜１０番目のシンボルであり、第４のＤＣＩにより指示される割り込まれた時間周波数リソースのうちの７〜１０番目のシンボルが周波数帯域全体で割り込まれているため、端末装置１４００−２は、７〜１０番目のシンボルが割り込まれたアップリンク時間周波数リソースであると判断してもよい。同様に、図１５の（２）、（３）に示すように、端末装置１４００−１は、上記の３６ｂｉｔの値、及び該第４のＤＣＩを受信した時の状態に基づいて、１３〜１６番目のダウンリンクのシンボルが周波数帯域全体で割り込まれていると判断してもよい。
【０３３９】
３）上記のステップ３の２）において上位層シグナリングを介して構成された無線ネットワーク一時識別子を使用して、送信される４６ｂｉｔのデータをスクランブルし、スクランブルされた第４のＤＣＩを送信する。
【０３４０】
ステップ６：ネットワーク装置１３００は、端末装置１４００Ｂにアップリンク許可（ＵＬ  ｇｒａｎｔ）を送信する。
【０３４１】
ステップ７：優先度の低い端末装置１４００−１及び端末装置１４００−２は、監視周期内で第４のＤＣＩに対してブラインド検出を行う。
【０３４２】
例えば、端末装置１４００−１の第４のＤＣＩを受信した時のデータ伝送状態がダウンリンクデータ伝送であり、該端末装置１４００−１は、検出された第４のＤＣＩに基づいて、割り込まれた第３の時間周波数リソース上のデータを除去する。そして、残りのデータを復調し、情報（例えば、ＡＣＫ／ＮＡＣＫ）を返す。ここで、該第３の時間周波数リソースは、全て端末装置１４００−１のダウンリンクデータを送信するための第４の時間周波数リソースに含まれている。
【０３４３】
端末装置１４００−２の第４のＤＣＩを受信した時のデータ伝送状態がアップリンクデータ伝送であり、端末装置１４００−２は、検出された第４のＤＣＩに基づいて、割り込まれた第１の時間周波数リソースについて、上位層シグナリングを介して構成されたインターリーバを用いてインターリーブ多元接続の方式でアップリンクデータを送信する。ここで、第１の時間周波数リソースは、全て端末装置１４００−２のアップリンクデータを送信するための第２の時間周波数リソースに含まれている。
【０３４４】
ステップ８：優先度の高い端末装置１４００Ａは、ダウンリンクデータ情報を復調し、情報（例えば、ＡＣＫ／ＮＡＣＫ）を返す。
【０３４５】
ステップ９：優先度の高い端末装置１４００Ｂは、ＵＬ  ｇｒａｎｔを復調し、アップリンクデータ情報を送信する。
【０３４６】
本実施例によれば、アップリンクデータを搬送するための時間周波数リソースのうちのどの時間周波数リソースが優先度の高い端末装置により割り込まれているか、及びダウンリンクデータを搬送するための時間周波数リソースのうちのどの時間周波数リソースが優先度の高い端末装置により割り込まれているかを、ダウンリンク制御情報により端末装置に指示することで、端末装置のアップリンクデータ伝送及びダウンリンクデータ伝送が割り込まれている場合、端末装置に共同指示を行うことができる。
【０３４７】
本発明の実施例は、コンピュータ読み取り可能なプログラムが記憶されている記憶媒体であって、該プログラムを実行する際に、ダウンリンク制御情報（ＤＣＩ）の送信装置又はネットワーク装置に実施例８に記載のダウンリンク制御情報（ＤＣＩ）の送信方法を実行させる、記憶媒体をさらに提供する。
【０３４８】
本発明の実施例では、コンピュータ読み取り可能なプログラムであって、ダウンリンク制御情報（ＤＣＩ）の送信装置又はネットワーク装置において該プログラムを実行する際に、該ダウンリンク制御情報（ＤＣＩ）の送信装置又はネットワーク装置に上記の実施例８に記載のダウンリンク制御情報（ＤＣＩ）の送信方法を実行させる、プログラムをさらに提供する。
【０３４９】
本発明の実施例では、コンピュータ読み取り可能なプログラムが記憶されている記憶媒体であって、該プログラムを実行する際に、ダウンリンク制御情報（ＤＣＩ）の受信装置又は端末装置に実施例９に記載の方法を実行させる、記憶媒体をさらに提供する。
【０３５０】
本発明の実施例では、コンピュータ読み取り可能なプログラムであって、ダウンリンク制御情報（ＤＣＩ）の受信装置又は端末装置において該プログラムを実行する際に、該ダウンリンク制御情報（ＤＣＩ）の受信装置又は端末装置に実施例９に記載の方法を実行させる、プログラムをさらに提供する。
【０３５１】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される際に、該ロジック部に上述した装置又は構成要件を実現させる、或いは該ロジック部に上述した各種の方法又はステップを実現させることができる。本発明は上記のプログラムを記憶するための記憶媒体、例えばハードディスク、磁気ディスク、光ディスク、ＤＶＤ、フラッシュメモリ等に関する。
【０３５２】
本発明の実施例を参照しながら説明した各装置における各処理方法は、ハードウェア、プロセッサにより実行されるソフトウェアモジュール、又は両者の組み合わせで実施されてもよい。例えば、図４、図５、図１１、図１２に示す機能的ブロック図における１つ若しくは複数、又は機能的ブロック図の１つ若しくは複数の組み合わせ（例えば受信部、決定部、送信部など）は、コンピュータプログラムフローの各ソフトウェアモジュールに対応してもよいし、各ハードウェアモジュールに対応してもよい。これらのソフトウェアモジュールは、図２、図３、図９、図１０に示す各ステップにそれぞれ対応してもよい。これらのハードウェアモジュールは、例えばフィールド・プログラマブル・ゲートアレイ（ＦＰＧＡ）を用いてこれらのソフトウェアモジュールをハードウェア化して実現されてもよい。
【０３５３】
ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、モバイルハードディスク、ＣＤ−ＲＯＭ又は当業者にとって既知の任意の他の形の記憶媒体に位置してもよい。プロセッサが記憶媒体から情報を読み取ったり、記憶媒体に情報を書き込むように該記憶媒体をプロセッサに接続してもよいし、記憶媒体がプロセッサの構成部であってもよい。プロセッサ及び記憶媒体はＡＳＩＣに位置してもよい。該ソフトウェアモジュールは移動端末のメモリに記憶されてもよいし、移動端末に挿入されたメモリカードに記憶されてもよい。例えば、機器（例えば移動端末）が比較的に大きい容量のＭＥＧＡ−ＳＩＭカード又は大容量のフラッシュメモリ装置を用いる場合、該ソフトウェアモジュールは該ＭＥＧＡ−ＳＩＭカード又は大容量のフラッシュメモリ装置に記憶されてもよい。
【０３５４】
図４、図５、図１１、図１２に記載されている機能的ブロック図における一つ以上の機能ブロック及び／又は機能ブロックの一つ以上の組合せは、本願に記載されている機能を実行するための汎用プロセッサ、デジタル信号プロセッサ（ＤＳＰ）、特定用途向け集積回路（ＡＳＩＣ）、フィールド・プログラマブル・ゲートアレイ（ＦＰＧＡ）又は他のプログラマブル論理デバイス、ディスクリートゲート又はトランジスタ論理装置、ディスクリートハードウェアコンポーネント、又はそれらの任意の適切な組み合わせで実現されてもよい。図４、図５、図１１、図１２に記載されている機能的ブロック図における一つ以上の機能ブロック及び／又は機能ブロックの一つ以上の組合せは、例えば、コンピューティング機器の組み合わせ、例えばＤＳＰとマイクロプロセッサの組み合わせ、複数のマイクロプロセッサの組み合わせ、ＤＳＰ通信と組み合わせた１つ又は複数のマイクロプロセッサ又は他の任意の構成で実現されてもよい。
【０３５５】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び変更を行ってもよく、これらの変形及び変更も本発明の範囲内のものである。
【０３５６】
また、上述の実施例を含む実施形態に関し、更に以下の付記を開示する。
（付記１）
ネットワーク装置に設けられているダウンリンク制御情報（ＤＣＩ）の送信装置であって、
端末装置に、アップリンクデータを送信するための割り込まれた第１の時間周波数リソースを指示するための第１のＤＣＩを送信する第１の送信部、を含み、
前記第１のＤＣＩは、少なくとも前記第１の時間周波数リソースの位置を指示する第１のフィールドを含む、装置。
（付記２）
前記第１のＤＣＩは、前記第１の時間周波数リソースで搬送されているアップリンクデータを、前記第１の時間周波数リソースで送信せず、或いは低電力で送信し、或いは非直交多元接続方式で送信するように、前記端末装置に指示するために用いられる、付記１に記載の装置。
（付記３）
前記装置により前記端末装置のために構成された前記第１のＤＣＩを監視（ｍｏｎｉｔｏｒ）するための周期は、前記装置により前記端末装置のために構成された第２のＤＣＩを監視（ｍｏｎｉｔｏｒ）するための周期以下であり、
前記第２のＤＣＩは、第２の時間周波数リソースでアップリンクデータを送信するように前記端末装置に指示するために用いられる、付記１乃至２の何れかに記載の装置。
（付記４）
前記第１のＤＣＩのＤＣＩフォーマットは、第３のＤＣＩのＤＣＩフォーマットと同一であり、或いは異なり、
前記第３のＤＣＩは、ダウンリンクデータを伝送するための割り込まれた第３の時間周波数リソースを、前記端末装置に指示するために用いられる、付記１乃至３の何れかに記載の装置。
（付記５）
前記第１のＤＣＩのＤＣＩフォーマットが前記第３のＤＣＩのＤＣＩフォーマットと同一である場合、前記第１のＤＣＩは、前記第３のＤＣＩよりも１つ多い情報フィールド（ｉｎｆｏｒｍａｔｉｏｎ  ｆｉｅｌｄ）を有し、前記情報フィールドにおける情報ビットは、現在送信されているＤＣＩが前記第１のＤＣＩであるか、それとも前記第３のＤＣＩであるかを指示するために用いられる、付記４に記載の装置。
（付記６）
前記第１のＤＣＩのＤＣＩフォーマットが前記第３のＤＣＩのＤＣＩフォーマットと異なる場合、前記第１のＤＣＩは、前記端末装置の専用（ＵＥ−ｓｐｅｃｉｆｉｃ）ＤＣＩであり、或いは、前記第１のＤＣＩは、グループ共通（ＵＥ−ｇｒｏｕｐ  ｃｏｍｍｏｎ）ＤＣＩである、付記４に記載の装置。
（付記７）
前記第１のフィールドは、少なくとも１つの第１のサブフィールドを有し、
前記第１のサブフィールドは、前記端末装置の１つのサービングセルに対応する、付記１乃至６の何れかに記載の装置。
（付記８）
前記第１のサブフィールドの長さは、所定の長さである、付記１乃至７の何れかに記載の装置。
（付記９）
割り込まれた第１の時間周波数リソースの周波数領域分割方式が、周波数帯域全体を分割単位とするものである場合、前記第１のサブフィールドの１つ以上のデータビットは、前記周波数帯域における１つの時間単位が割り込まれているか否かを指示し、或いは、前記第１のサブフィールドの１つのデータビットは、前記周波数帯域における１つ以上の時間単位が割り込まれているか否かを指示する、付記７に記載の装置。
（付記１０）
割り込まれた第１の時間周波数リソースの周波数領域分割方式が、周波数帯域全体のうちの一部の周波数帯域を分割単位とするものである場合、前記割り込まれたデータ伝送リソースの周波数領域は、２つ以上の部分周波数帯域に分割され、
前記第１のサブフィールドは少なくとも２組のデータビットを含み、各組のデータビットは各前記部分周波数帯域に対応し、
各組のデータビットにおいて、１つ以上のデータビットは、前記部分周波数帯域における１つの時間単位が割り込まれているか否かを指示し、或いは、１つのデータビットは、前記部分周波数帯域における１つ以上の時間単位が割り込まれているか否かを指示する、付記７に記載の装置。
（付記１１）
前記端末装置に、少なくとも前記第１のＤＣＩを構成するための構成情報を送信する第２の送信部、をさらに含む、付記１乃至１０の何れかに記載の装置。
（付記１２）
前記構成情報は、以下の少なくとも１つの構成を行うために用いられ、
前記構成情報は、前記第１の時間周波数リソースで搬送されているアップリンクデータを、送信せず、或いは低電力で送信し、或いは非直交多元接続方式で送信するように、前記端末装置を構成するために用いられ、
前記構成情報は、非直交多元接続方式がスパース符号多元接続（ＳＣＭＡ：Ｓｐａｒｓｅ  Ｃｏｄｅ  Ｍｕｌｔｉｐｌｅ  Ａｃｃｅｓｓ）、マルチユーザ共有接続（ＭＵＳＡ：Ｍｕｌｔｉ  Ｕｓｅｒ  Ｓｈａｒｅｄ  Ａｃｃｅｓｓ）、インターリーブ分割多元接続（ＩＤＭＡ：Ｉｎｔｅｒｗｅａｖｅｒ  Ｄｉｖｉｓｉｏｎ  Ｍｕｌｔｉｐｌｅ  Ａｃｃｅｓｓ）、又は他の非直交多元接続方式であるように構成するために用いられ、
前記構成情報は、非直交多元接続におけるユーザを区別するための署名（ｓｉｇｎａｔｕｒｅ）がスパースコードワード、非直交コードワード、インターリーバ、又はユーザを区別するための他の署名であるように構成するために用いられ、
前記構成情報は、前記第１のサブフィールドの長さ及び／又は第１のフィールドの長さを構成するために用いられ、
前記構成情報は、前記第１のサブフィールドにより指示される第１の時間周波数リソースの周波数領域での分割方式が、周波数帯域全体を分割単位とするものであり、或いは一部の周波数帯域を分割単位とするものであるように構成するために用いられ、
前記構成情報は、前記第１のサブフィールドにより指示される第１の時間周波数リソースの時間領域での時間単位が１つ又は２つ以上のスロット（ｓｌｏｔ）、１つ又は２つ以上の非スロット（ｎｏｎ−ｓｌｏｔ）、１つ又は２つ以上のミニスロット（ｍｉｎｉ−ｓｌｏｔ）、又は１つ又は２つ以上のシンボル（ｓｙｍｂｏｌ）であるように構成するために用いられ、
前記構成情報は、前記端末装置のために、第１のＤＣＩを監視（ｍｏｎｉｔｏｒ）する周期を構成するために用いられ、
前記構成情報は、前記端末装置のサービングセルのインデックス（ｉｎｄｅｘ）の集合を構成するために用いられ、
前記構成情報は、前記端末装置の各サービングセルに対応する第１のサブフィールドの第１のフィールドにおける位置を構成するために用いられ、
前記構成情報は、第１のＤＣＩをスクランブルする無線ネットワーク一時識別子（ＲＮＴＩ）を構成するために用いられる、請求項９に記載の装置。
（付記１３）
端末装置に設けられているダウンリンク制御情報（ＤＣＩ）の受信装置であって、
ネットワーク装置により送信された、アップリンクデータを送信するための割り込まれた第１の時間周波数リソースを指示するための第１のＤＣＩを受信する第１の受信部、を含み、
前記第１のＤＣＩは、少なくとも前記第１の時間周波数リソースの位置を指示する第１のフィールドを含む、装置。
（付記１４）
前記第１のＤＣＩは、前記第１の時間周波数リソースで搬送されているアップリンクデータを、前記第１の時間周波数リソースで送信せず、或いは低電力で送信し、或いは非直交多元接続方式で送信するように、前記端末装置に指示するために用いられる、付記１３に記載の装置。
（付記１５）
前記装置により前記端末装置のために構成された前記第１のＤＣＩを監視（ｍｏｎｉｔｏｒ）するための周期は、前記装置により前記端末装置のために構成された第２のＤＣＩを監視（ｍｏｎｉｔｏｒ）するための周期以下であり、
前記第２のＤＣＩは、第２の時間周波数リソースでアップリンクデータを送信するように前記端末装置に指示するために用いられる、付記１３乃至１４の何れかに記載の装置。
（付記１６）
前記第１のＤＣＩのＤＣＩフォーマットは、第３のＤＣＩのＤＣＩフォーマットと同一であり、或いは異なり、
前記第３のＤＣＩは、ダウンリンクデータを伝送するための割り込まれた第３の時間周波数リソースを、前記端末装置に指示するために用いられる、付記１３乃至１５の何れかに記載の装置。
（付記１７）
前記第１のＤＣＩのＤＣＩフォーマットが前記第３のＤＣＩのＤＣＩフォーマットと同一である場合、前記第１のＤＣＩは、前記第３のＤＣＩよりも１つ多い情報フィールド（ｉｎｆｏｒｍａｔｉｏｎ  ｆｉｅｌｄ）を有し、前記情報フィールドにおける情報ビットは、現在送信されているＤＣＩが前記第１のＤＣＩであるか、それとも前記第３のＤＣＩであるかを指示するために用いられる、付記１６に記載の装置。
（付記１８）
前記第１のＤＣＩのＤＣＩフォーマットが前記第３のＤＣＩのＤＣＩフォーマットと異なる場合、前記第１のＤＣＩは、前記端末装置の専用（ＵＥ−ｓｐｅｃｉｆｉｃ）ＤＣＩであり、或いは、前記第１のＤＣＩは、グループ共通（ＵＥ−ｇｒｏｕｐ  ｃｏｍｍｏｎ）ＤＣＩである、付記１６に記載の装置。
（付記１９）
前記第１のフィールドは、少なくとも１つの第１のサブフィールドを有し、
前記第１のサブフィールドは、前記端末装置の１つのサービングセルに対応する、付記１３乃至１８の何れかに記載の装置。
（付記２０）
前記第１のサブフィールドの長さは、所定の長さである、付記１３乃至１９の何れかに記載の装置。
（付記２１）
割り込まれた第１の時間周波数リソースの周波数領域分割方式が、周波数帯域全体を分割単位とするものである場合、前記第１のサブフィールドの１つ以上のデータビットは、前記周波数帯域における１つの時間単位が割り込まれているか否かを指示し、或いは、前記第１のサブフィールドの１つのデータビットは、前記周波数帯域における１つ以上の時間単位が割り込まれているか否かを指示する、付記１９に記載の装置。
（付記２２）
割り込まれた第１の時間周波数リソースの周波数領域分割方式が、周波数帯域全体のうちの一部の周波数帯域を分割単位とするものである場合、前記割り込まれたデータ伝送リソースの周波数領域は、２つ以上の部分周波数帯域に分割され、
前記第１のサブフィールドは少なくとも２組のデータビットを含み、各組のデータビットは各前記部分周波数帯域に対応し、
各組のデータビットにおいて、１つ以上のデータビットは、前記部分周波数帯域における１つの時間単位が割り込まれているか否かを指示し、或いは、１つのデータビットは、前記部分周波数帯域における１つ以上の時間単位が割り込まれているか否かを指示する、付記１９に記載の装置。
（付記２３）
前記ネットワーク装置により送信された、少なくとも前記第１のＤＣＩを構成するための構成情報を受信する第２の受信部、をさらに含む、付記１３乃至２２の何れかに記載の装置。
（付記２４）
前記構成情報は、以下の少なくとも１つの構成を行うために用いられ、
前記構成情報は、前記第１の時間周波数リソースで搬送されているアップリンクデータを、送信せず、或いは低電力で送信し、或いは非直交多元接続方式で送信するように、前記端末装置を構成するために用いられ、
前記構成情報は、非直交多元接続方式がスパース符号多元接続（ＳＣＭＡ：Ｓｐａｒｓｅ  Ｃｏｄｅ  Ｍｕｌｔｉｐｌｅ  Ａｃｃｅｓｓ）、マルチユーザ共有接続（ＭＵＳＡ：Ｍｕｌｔｉ  Ｕｓｅｒ  Ｓｈａｒｅｄ  Ａｃｃｅｓｓ）、又はインターリーブ分割多元接続（ＩＤＭＡ：Ｉｎｔｅｒｗｅａｖｅｒ  Ｄｉｖｉｓｉｏｎ  Ｍｕｌｔｉｐｌｅ  Ａｃｃｅｓｓ）であるように構成するために用いられ、
前記構成情報は、非直交多元接続におけるユーザを区別するための署名がスパースコードワード、非直交コードワード、又はインターリーバであるように構成するために用いられ、
前記構成情報は、前記第１のサブフィールドの長さ及び／又は第１のフィールドの長さを構成するために用いられ、
前記構成情報は、前記第１のサブフィールドにより指示される第１の時間周波数リソースの周波数領域での分割方式が、周波数帯域全体を分割単位とするものであり、或いは一部の周波数帯域を分割単位とするものであるように構成するために用いられ、
前記構成情報は、前記第１のサブフィールドにより指示される第１の時間周波数リソースの時間領域での時間単位が１つ又は２つ以上のスロット（ｓｌｏｔ）、１つ又は２つ以上の非スロット（ｎｏｎ−ｓｌｏｔ）、１つ又は２つ以上のミニスロット（ｍｉｎｉ−ｓｌｏｔ）、又は１つ又は２つ以上のシンボル（ｓｙｍｂｏｌ）であるように構成するために用いられ、
前記構成情報は、前記端末装置のために、第１のＤＣＩを監視（ｍｏｎｉｔｏｒ）する周期を構成するために用いられ、
前記構成情報は、前記端末装置のサービングセルのインデックス（ｉｎｄｅｘ）の集合を構成するために用いられ、
前記構成情報は、前記端末装置の各サービングセルに対応する第１のサブフィールドの第１のフィールドにおける位置を構成するために用いられ、
前記構成情報は、第１のＤＣＩをスクランブルする無線ネットワーク一時識別子（ＲＮＴＩ）を構成するために用いられる、付記２３に記載の装置。
（付記２５）
前記第１の時間周波数リソースと前記端末装置のアップリンクデータを送信するための第２の時間周波数リソースとは、少なくとも部分的に重複し、
前記装置は、
アップリンクデータを、少なくとも重複する時間周波数リソースで送信せず、或いは低電力で送信し、或いは非直交多元接続方式で送信するように、前記装置を制御する第１の送信制御部、をさらに含む、付記１３〜２４に記載の装置。
（付記２６）
ネットワーク装置と、端末装置と、を含む通信システムであって、
前記ネットワーク装置は、付記１乃至１２の何れかに記載のダウンリンク制御情報（ＤＣＩ）の送信装置を含み、
前記ネットワーク装置は、付記１３乃至２５の何れかに記載のダウンリンク制御情報（ＤＣＩ）の受信装置を含む、通信システム。
（付記１ａ）
ネットワーク装置に設けられているダウンリンク制御情報（ＤＣＩ）の送信装置であって、
端末装置に第４のＤＣＩを送信する第３の送信部、を含み、
前記第４のＤＣＩは、アップリンクデータを送信するための割り込まれた第１の時間周波数リソース、及びダウンリンクデータを伝送するための割り込まれた第３の時間周波数リソースを指示するために用いられ、
前記第４のＤＣＩは、少なくとも前記第１の時間周波数リソースの位置及び前記第３の時間周波数リソースの位置を指示する第２のフィールドを含む、装置。
（付記２ａ）
前記第４のＤＣＩは、前記第１の時間周波数リソースで搬送されているアップリンクデータを、前記第１の時間周波数リソースで送信せず、或いは低電力で送信し、或いは非直交多元接続方式で送信するように、前記端末装置に指示するために用いられる、付記１ａに記載の装置。
（付記３ａ）
前記ネットワーク装置により前記端末装置のために構成された前記第４のＤＣＩを監視（ｍｏｎｉｔｏｒ）するための周期は、前記ネットワーク装置により前記端末装置のために構成された第２のＤＣＩを監視（ｍｏｎｉｔｏｒ）するための周期以下であり、
前記第２のＤＣＩは、第２の時間周波数リソースでアップリンクデータを送信するように前記端末装置に指示するために用いられる、付記１ａ乃至２ａの何れかに記載の装置。
（付記４ａ）
前記第３の時間周波数リソースは、前記第４のＤＣＩの所在する時間領域リソースよりも時間的に早く又は遅く、
前記第１の時間周波数リソースは、前記第４のＤＣＩの所在する時間領域リソースよりも時間的に遅い、付記１ａ乃至３ａの何れかに記載の装置。
（付記５ａ）
前記第４のＤＣＩのＤＣＩフォーマットは、第３のＤＣＩのＤＣＩフォーマットと同一であり、或いは異なり、
前記第３のＤＣＩは、ダウンリンクデータを伝送するための割り込まれた第３の時間周波数リソースを、前記端末装置に指示するために用いられる、付記１ａ乃至４ａの何れかに記載の装置。
（付記６ａ）
前記第４のＤＣＩのＤＣＩフォーマットが前記第３のＤＣＩのＤＣＩフォーマットと同一である場合、前記第４のＤＣＩは、前記第３のＤＣＩよりも１つ多い情報フィールドを有し、前記情報フィールドにおける情報ビットは、現在送信されているＤＣＩが前記第４のＤＣＩであるか、それとも前記第３のＤＣＩであるかを指示するために用いられる、付記５ａに記載の装置。
（付記７ａ）
前記第４のＤＣＩのＤＣＩフォーマットが前記第３のＤＣＩのＤＣＩフォーマットと異なる場合、前記第４のＤＣＩは、前記端末装置の専用（ＵＥ−ｓｐｅｃｉｆｉｃ）ＤＣＩであり、或いは、前記第４のＤＣＩは、グループ共通（ＵＥ−ｇｒｏｕｐ  ｃｏｍｍｏｎ）ＤＣＩである、付記５ａに記載の装置。
（付記８ａ）
前記第２のフィールドは、少なくとも１つの第２のサブフィールドを有し、
各前記第２のサブフィールドは、前記端末装置の１つのサービングセルに対応する、付記１ａ乃至付記７ａの何れかに記載の装置。
（付記９ａ）
前記第２のサブフィールドの長さは、予め設定される、付記８ａに記載の装置。
（付記１０ａ）
前記第２のサブフィールドにおける第１の部分データビットは、前記第１の時間周波数リソースに対応し、
前記第２のサブフィールドにおける第２の部分データビットは、前記第３の時間周波数リソースに対応する、付記８ａに記載の装置。
（付記１１ａ）
割り込まれた第１の時間周波数リソースの周波数領域分割方式が、周波数帯域全体を分割単位とするものである場合、前記第２のサブフィールドにおける前記第１の部分データビット及び／又は前記第２の部分データビットにおいて、１つ以上のデータビットは前記周波数帯域における１つの時間単位が割り込まれているか否かを指示し、或いは、１つのデータビットは前記周波数帯域における１つ以上の時間単位が割り込まれているか否かを指示する、付記８ａに記載の装置。
（付記１２ａ）
割り込まれた前記第１の時間周波数リソース及び／又は割り込まれた前記第３の時間周波数リソースの周波数領域分割方式が、一部の周波数帯域を分割単位とするものである場合、割り込まれた時間周波数リソースの周波数領域は、２つ以上の部分周波数帯域に分割され、
前記第２のサブフィールドにおける前記第１の部分データビット及び／又は前記第２の部分データビットは少なくとも２組のデータビットを含み、各組のデータビットは各前記部分周波数帯域に対応し、
各組のデータビットにおいて、１つ以上のデータビットは、前記部分周波数帯域における１つの時間単位が割り込まれているか否かを指示し、或いは、１つのデータビットは、前記部分周波数帯域における１つ以上の時間単位が割り込まれているか否かを指示する、付記８ａに記載の装置。
（付記１３ａ）
前記端末装置に、少なくとも前記第４のＤＣＩを構成するための構成情報を送信する第４の送信部、をさらに含む、付記１ａ乃至１２ａの何れかに記載の装置。
（付記１４ａ）
前記構成情報は、以下の少なくとも１つの構成を行うために用いられ、
前記構成情報は、前記第１の時間周波数リソースで搬送されているアップリンクデータを、送信せず、或いは低電力で送信し、或いは非直交多元接続方式で送信するように、前記端末装置を構成するために用いられ、
前記構成情報は、非直交多元接続方式がスパース符号多元接続（ＳＣＭＡ：Ｓｐａｒｓｅ  Ｃｏｄｅ  Ｍｕｌｔｉｐｌｅ  Ａｃｃｅｓｓ）、マルチユーザ共有接続（ＭＵＳＡ：Ｍｕｌｔｉ  Ｕｓｅｒ  Ｓｈａｒｅｄ  Ａｃｃｅｓｓ）、インターリーブ分割多元接続（ＩＤＭＡ：Ｉｎｔｅｒｗｅａｖｅｒ  Ｄｉｖｉｓｉｏｎ  Ｍｕｌｔｉｐｌｅ  Ａｃｃｅｓｓ）、又は他の非直交多元接続方式であるように構成するために用いられ、
前記構成情報は、非直交多元接続におけるユーザを区別するための署名がスパースコードワード、非直交コードワード、インターリーバ、又はユーザを区別するための他の署名であるように構成するために用いられ、
前記構成情報は、前記第２のフィールドの長さ及び／又は第２のサブフィールドの長さを構成するために用いられ、
前記構成情報は、前記第２のサブフィールドにより指示される第１の時間周波数リソースの周波数領域での分割方式が、周波数帯域全体又は一部の周波数帯域であるように、前記端末装置に構成するために用いられ、
前記構成情報は、前記第２のサブフィールドにより指示される第３の時間周波数リソースの周波数領域での分割粒度が、周波数帯域全体を分割単位とするものであり、或いは一部の周波数帯域を分割単位とするものであるように、前記第２端末装置に構成するために用いられ、
前記構成情報は、前記第２のサブフィールドにより指示される第１の時間周波数リソース及び／又は第３の時間周波数リソースの時間領域での時間単位が１つ又は２つ以上のスロット（ｓｌｏｔ）、１つ又は２つ以上の非スロット（ｎｏｎ−ｓｌｏｔ）、１つ又は２つ以上のミニスロット（ｍｉｎｉ−ｓｌｏｔ）、又は１つ又は２つ以上のシンボル（ｓｙｍｂｏｌ）であるように、前記端末装置に構成するために用いられ、
前記構成情報は、前記端末装置のために、第４のＤＣＩを監視（ｍｏｎｉｔｏｒ）する周期を構成するために用いられ、
前記構成情報は、前記端末装置のサービングセルのインデックス（ｉｎｄｅｘ）の集合を構成するために用いられ、
前記構成情報は、前記端末装置の各サービングセルに対応する第２のサブフィールドの第２のフィールドにおける位置を構成するために用いられ、
前記構成情報は、第４のＤＣＩをスクランブルする無線ネットワーク一時識別子（ＲＮＴＩ）を構成するために用いられる、付記１３ａに記載の装置。
（付記１ｂ）
端末装置に設けられているダウンリンク制御情報（ＤＣＩ）の受信装置であって、
ネットワーク装置から第４のＤＣＩを受信する第３の受信部、を含み、
前記第４のＤＣＩは、アップリンクデータを送信するための割り込まれた第１の時間周波数リソース、及びダウンリンクデータを伝送するための割り込まれた第３の時間周波数リソースを指示するために用いられ、
前記第４のＤＣＩは、少なくとも前記第１の時間周波数リソースの位置及び前記第３の時間周波数リソースの位置を指示する第２のフィールドを含む、装置。
（付記２ｂ）
前記第４のＤＣＩは、前記第１の時間周波数リソースで搬送されているアップリンクデータを、前記第１の時間周波数リソースで送信せず、或いは低電力で送信し、或いは非直交多元接続方式で送信するように、前記端末装置に指示するために用いられる、付記１ｂに記載の装置。
（付記３ｂ）
前記ネットワーク装置により前記端末装置のために構成された前記第４のＤＣＩを監視（ｍｏｎｉｔｏｒ）するための周期は、前記ネットワーク装置により前記端末装置のために構成された第２のＤＣＩを監視（ｍｏｎｉｔｏｒ）するための周期以下であり、
前記第２のＤＣＩは、第２の時間周波数リソースでアップリンクデータを送信するように前記端末装置に指示するために用いられる、付記１ｂ乃至２ｂの何れかに記載の装置。
（付記４ｂ）
前記第３の時間周波数リソースは、前記第４のＤＣＩの所在する時間領域リソースよりも時間的に早く又は遅く、
前記第１の時間周波数リソースは、前記第４のＤＣＩの所在する時間領域リソースよりも時間的に遅い、付記１ｂ乃至３ｂの何れかに記載の装置。
（付記５ｂ）
前記第４のＤＣＩのＤＣＩフォーマットは、第３のＤＣＩのＤＣＩフォーマットと同一であり、或いは異なり、
前記第３のＤＣＩは、ダウンリンクデータを伝送するための割り込まれた第３の時間周波数リソースを、前記端末装置に指示するために用いられる、付記１ｂ乃至４ｂの何れかに記載の装置。
（付記６ｂ）
前記第４のＤＣＩのＤＣＩフォーマットが前記第３のＤＣＩのＤＣＩフォーマットと同一である場合、前記第４のＤＣＩは、前記第３のＤＣＩよりも１つ多い情報フィールドを有し、前記情報フィールドにおける情報ビットは、現在送信されているＤＣＩが前記第４のＤＣＩであるか、それとも前記第３のＤＣＩであるかを指示するために用いられる、付記５ｂに記載の装置。
（付記７ｂ）
前記第４のＤＣＩのＤＣＩフォーマットが前記第３のＤＣＩのＤＣＩフォーマットと異なる場合、前記第４のＤＣＩは、前記端末装置の専用（ＵＥ−ｓｐｅｃｉｆｉｃ）ＤＣＩであり、或いは、前記第４のＤＣＩは、グループ共通（ＵＥ−ｇｒｏｕｐ  ｃｏｍｍｏｎ）ＤＣＩである、付記５ｂに記載の装置。
（付記８ｂ）
前記第２のフィールドは、少なくとも１つの第２のサブフィールドを有し、
各前記第２のサブフィールドは、前記端末装置の１つのサービングセルに対応する、付記１ｂ乃至付記７ｂの何れかに記載の装置。
（付記９ｂ）
前記第２のサブフィールドの長さは、予め設定される、付記８ｂに記載の装置。
（付記１０ｂ）
前記第２のサブフィールドにおける第１の部分データビットは、前記第１の時間周波数リソースに対応し、
前記第２のサブフィールドにおける第２の部分データビットは、前記第３の時間周波数リソースに対応する、付記８ｂに記載の装置。
（付記１１ｂ）
割り込まれた第１の時間周波数リソースの周波数領域分割方式が、周波数帯域全体を分割単位とするものである場合、前記第２のサブフィールドにおける前記第１の部分データビット及び／又は前記第２の部分データビットにおいて、１つ以上のデータビットは前記周波数帯域における１つの時間単位が割り込まれているか否かを指示し、或いは、１つのデータビットは前記周波数帯域における１つ以上の時間単位が割り込まれているか否かを指示する、付記８ｂに記載の装置。
（付記１２ｂ）
割り込まれた前記第１の時間周波数リソース及び／又は割り込まれた前記第３の時間周波数リソースの周波数領域分割方式が、一部の周波数帯域を分割単位とするものである場合、割り込まれた時間周波数リソースの周波数領域は、２つ以上の部分周波数帯域に分割され、
前記第２のサブフィールドにおける前記第１の部分データビット及び／又は前記第２の部分データビットは少なくとも２組のデータビットを含み、各組のデータビットは各前記部分周波数帯域に対応し、
各組のデータビットにおいて、１つ以上のデータビットは、前記部分周波数帯域における１つの時間単位が割り込まれているか否かを指示し、或いは、１つのデータビットは、前記部分周波数帯域における１つ以上の時間単位が割り込まれているか否かを指示する、付記８ｂに記載の装置。
（付記１３ｂ）
少なくとも前記第４のＤＣＩを構成するための構成情報を受信する第４の受信部、をさらに含む、付記１ｂ乃至１２ｂの何れかに記載の装置。
（付記１４ｂ）
前記構成情報は、以下の少なくとも１つの構成を行うために用いられ、
前記構成情報は、前記第１の時間周波数リソースで搬送されているアップリンクデータを、送信せず、或いは低電力で送信し、或いは非直交多元接続方式で送信するように、前記端末装置を構成するために用いられ、
前記構成情報は、非直交多元接続方式がスパース符号多元接続（ＳＣＭＡ：Ｓｐａｒｓｅ  Ｃｏｄｅ  Ｍｕｌｔｉｐｌｅ  Ａｃｃｅｓｓ）、マルチユーザ共有接続（ＭＵＳＡ：Ｍｕｌｔｉ  Ｕｓｅｒ  Ｓｈａｒｅｄ  Ａｃｃｅｓｓ）、インターリーブ分割多元接続（ＩＤＭＡ：Ｉｎｔｅｒｗｅａｖｅｒ  Ｄｉｖｉｓｉｏｎ  Ｍｕｌｔｉｐｌｅ  Ａｃｃｅｓｓ）、又は他の非直交多元接続方式であるように構成するために用いられ、
前記構成情報は、非直交多元接続におけるユーザを区別するための署名がスパースコードワード、非直交コードワード、インターリーバ、又はユーザを区別するための他の署名であるように構成するために用いられ、
前記構成情報は、前記第２のフィールドの長さ及び／又は第２のサブフィールドの長さを構成するために用いられ、
前記構成情報は、前記第２のサブフィールドにより指示される第１の時間周波数リソースの周波数領域での分割方式が、周波数帯域全体又は一部の周波数帯域であるように、前記端末装置に構成するために用いられ、
前記構成情報は、前記第２のサブフィールドにより指示される第３の時間周波数リソースの周波数領域での分割粒度が、周波数帯域全体を分割単位とするものであり、或いは一部の周波数帯域を分割単位とするものであるように、前記第２端末装置に構成するために用いられ、
前記構成情報は、前記第２のサブフィールドにより指示される第１の時間周波数リソース及び／又は第３の時間周波数リソースの時間領域での時間単位が１つ又は２つ以上のスロット（ｓｌｏｔ）、１つ又は２つ以上の非スロット（ｎｏｎ−ｓｌｏｔ）、１つ又は２つ以上のミニスロット（ｍｉｎｉ−ｓｌｏｔ）、又は１つ又は２つ以上のシンボル（ｓｙｍｂｏｌ）であるように、前記端末装置に構成するために用いられ、
前記構成情報は、前記端末装置のために、第４のＤＣＩを監視（ｍｏｎｉｔｏｒ）する周期を構成するために用いられ、
前記構成情報は、前記端末装置のサービングセルのインデックス（ｉｎｄｅｘ）の集合を構成するために用いられ、
前記構成情報は、前記端末装置の各サービングセルに対応する第２のサブフィールドの第２のフィールドにおける位置を構成するために用いられ、
前記構成情報は、第４のＤＣＩをスクランブルする無線ネットワーク一時識別子（ＲＮＴＩ）を構成するために用いられる、付記１３ｂに記載の装置。
（付記１５ｂ）
前記第１の時間周波数リソースと前記端末装置のアップリンクデータを送信するための第２の時間周波数リソースとは、少なくとも部分的に重複し、
前記装置は、
前記端末装置が前記第４のＤＣＩを受信した時のデータ伝送状態がアップリンクデータ伝送である場合、アップリンクデータを、少なくとも重複する時間周波数リソースで送信せず、或いは低電力で送信し、或いは非直交多元接続方式で送信するように、前記端末装置を制御する第２の送信制御部、をさらに含む、付記１ｂ乃至付記１４ｂに記載の装置。
（付記１６ｂ）
前記第３の時間周波数リソースと前記端末装置のダウンリンクデータを送信するための第４の時間周波数リソースとは、少なくとも部分的に重複し、
前記装置は、
前記端末装置が前記第４のＤＣＩを受信した時のデータ伝送状態がダウンリンクデータ伝送である場合、重複する時間周波数リソースで受信されたダウンリンクデータを削除するように前記端末装置を制御する第１の受信制御部、をさらに含む、付記１ｂ乃至付記１４ｂに記載の装置。
【図１】
2021532634.tif 000053
【図２】
2021532634.tif 000054
【図３】
2021532634.tif 000055
【図４】
2021532634.tif 000056
【図５】
2021532634.tif 000057
【図６】
2021532634.tif 000058
【図７】
2021532634.tif 000059
【図８】
2021532634.tif 000060
【図９】
2021532634.tif 000061
【図１０】
2021532634.tif 000062
【図１１】
2021532634.tif 000063
【図１２】
2021532634.tif 000064
【図１３】
2021532634.tif 000065
【図１４】
2021532634.tif 000066
【図１５】
2021532634.tif 000067
【国際調査報告】
2021532634.tif 000068
2021532634.tif 000069
2021532634.tif 000070
2021532634.tif 000071